(57)【特許請求の範囲】
【請求項１】
ネットワークを介して、商品の出品に用いられる出品者端末装置と、出品された商品の入札に用いられる入札者端末装置と、からの要求に夫々応じて、オークションに関する処理を行うオークション処理装置であって、
商品の仕様を示す仕様情報を、当該仕様の商品を一意に識別するための仕様識別情報と対応付けて登録しておくとともに、ユーザの欲しい商品に関する欲しい商品情報を、当該商品の前記仕様識別情報と欲しい商品の状態を示す状態情報とを含めて、前記オークションを利用可能なユーザ毎に対応付けて登録しておくデータベースと、
ユーザにより指定された条件に基づいて検索された商品の前記仕様情報を表示する画面を構成する仕様画面情報を、前記入札者端末装置に送信する仕様画面情報送信手段と、
前記仕様画面情報を受信した前記入札者端末装置から、当該仕様画面情報によって前記仕様情報が表示される商品を欲しい商品として登録する要求を示す欲しい商品登録要求情報であり、且つ、ユーザにより指定された前記状態情報を含む欲しい商品登録要求情報を受信する欲しい商品登録要求受信手段と、
前記受信された欲しい商品登録要求情報に基づいて、前記送信された仕様画面情報によって前記仕様情報が表示される商品の前記仕様識別情報と、当該商品登録要求情報に含まれる前記状態情報と、を含む前記欲しい商品情報を前記データベースに登録する欲しい商品情報登録手段と、
商品の出品要求を示す出品要求情報が、ユーザの指令に基づいて前記出品者端末装置から送信されてきたときに、当該出品要求情報を受信する出品要求受信手段と、
前記受信された出品要求情報に基づいて、出品される商品に関する出品商品情報を、当該商品の前記仕様識別情報及び当該商品の状態を示す状態情報を含めて、前記データベースに登録する出品商品情報登録手段と、
前記出品商品情報が登録された場合に、当該出品商品情報に含まれる前記仕様識別情報及び前記状態情報と同一の前記仕様識別情報及び前記状態情報を含む前記欲しい商品情報に対応するユーザの利用する入札者端末装置に、当該欲しい商品情報が示す商品が出品されたことを通知する出品通知情報を送信する出品通知情報送信手段と、
を備えることを特徴とするオークション処理装置。
【請求項２】
請求項１に記載のオークション処理装置において、
前記仕様情報には、当該仕様情報が示す仕様の商品に関連する他の商品を特定するための第１特定情報が付加されており、
入力者により入力された前記仕様情報を前記データベースに登録する仕様情報登録手段と、
前記仕様情報が登録された場合に、当該仕様情報に付加された前記第１特定情報が示す商品の前記仕様識別情報を含む前記欲しい商品情報に対応するユーザの利用する前記入力者端末装置に、当該仕様情報が示す仕様の商品を欲しい商品として登録することを促すための促し情報を送信する促し情報送信手段と、
を更に備えることを特徴とするオークション処理装置。
【請求項３】
請求項１または請求項２に記載のオークション処理装置において、
前記仕様情報には、当該仕様情報が示す仕様の商品と同じシリーズに属する他の商品であって、且つ、その仕様上、当該仕様情報が示す仕様の商品の販売が開始された後に販売が開始される他の商品を特定するための第２特定情報が付加されており、
前記出品通知情報送信手段は、前記データベースに登録された前記欲しい商品情報に含まれる前記仕様識別情報が対応する前記仕様情報に前記第２特定情報が付加されている場合において、当該第２特定情報が示す商品の前記仕様識別情報を含む前記出品商品情報が登録された場合には、当該第２特定情報が示す商品が出品されたことを通知する前記出品通知情報を、当該欲しい商品情報に対応するユーザの利用する入札者端末装置に送信することを特徴とするオークション処理装置。
【請求項４】
請求項１乃至３の何れか１項に記載のオークション処理装置において、
前記データベースに登録された前記出品商品情報が示す商品が落札された場合に、当該商品の落札価格を含む落札の内容を示す落札情報を、当該出品商品情報に含まれる前記仕様識別情報を含めて、当該データベースに登録する落札情報登録手段を更に備え、
前記出品通知情報送信手段は、前記出品商品情報が前記データベースに登録された場合に、当該出品商品情報に含まれる前記仕様識別情報を含む前記落札情報を特定し、当該落札情報に含まれる落札価格に基づいて、当該出品商品情報が示す商品の落札相場を算出し、当該落札相場の通知を含む前記出品通知情報を送信することを特徴とするオークション処理装置。
【請求項５】
請求項１乃至４の何れか１項に記載のオークション処理装置において、
前記出品通知情報送信手段は、前記欲しい商品情報に対応するユーザの電子メールアドレスを特定し、当該電子メールアドレス宛に、前記出品通知情報が示す欲しい商品が出品されたことを通知する電子メールを送信することを特徴とするオークション処理装置。
【請求項６】
ネットワークを介して、商品の出品に用いられる出品者端末装置と、出品された商品の入札に用いられる入札者端末装置と、からの要求に夫々応じて、オークションに関する処理を行うオークション処理装置であって、商品の仕様を示す仕様情報を、当該仕様の商品を一意に識別するための仕様識別情報と対応付けて登録しておくとともに、ユーザの欲しい商品に関する欲しい商品情報を、当該商品前記仕様識別情報と欲しい商品の状態を示す状態情報とを含めて、前記オークションを利用可能なユーザ毎に対応付けて登録しておくデータベースを備えるオークション処理装置により実行される出品通知処理方法において、
ユーザにより指定された条件に基づいて検索された商品の前記仕様情報を表示する画面を構成する仕様画面情報を、前記入札者端末装置に送信する仕様画面情報送信工程と、
前記仕様画面情報を受信した前記入札者端末装置から、当該仕様画面情報によって前記仕様情報が表示される商品を欲しい商品として登録する要求を示す欲しい商品登録要求情報であり、且つ、ユーザにより指定された前記状態情報を含む欲しい商品登録要求情報を受信する欲しい商品登録要求受信工程と、
前記受信された欲しい商品登録要求情報に基づいて、前記送信された仕様画面情報によって前記仕様情報が表示される商品の前記仕様識別情報と、当該商品登録要求情報に含まれる前記状態情報と、を含む前記欲しい商品情報を前記データベースに登録する欲しい商品情報登録工程と、
商品の出品要求を示す出品要求情報が、ユーザの指令に基づいて前記出品者端末装置から送信されてきたときに、当該出品要求情報を受信する出品要求受信工程と、
前記受信された出品要求情報に基づいて、出品される商品に関する出品商品情報を、当該商品の前記仕様識別情報及び当該商品の状態を示す状態情報を含めて、前記データベースに登録する出品商品情報登録工程と、
前記出品商品情報が登録された場合に、当該出品商品情報に含まれる前記仕様識別情報及び前記状態情報と同一の前記仕様識別情報及び前記状態情報を含む前記欲しい商品情報に対応するユーザの利用する入札者端末装置に、当該欲しい商品情報が示す商品が出品されたことを通知する出品通知情報を送信する出品通知情報送信工程と、
を含むことを特徴とする出品通知処理方法。
【請求項７】
ネットワークを介して、商品の出品に用いられる出品者端末装置と、出品された商品の入札に用いられる入札者端末装置と、からの要求に夫々応じて、オークションに関する処理を行うオークション処理装置であって、商品の仕様を示す仕様情報を、当該仕様の商品を一意に識別するための仕様識別情報と対応付けて登録しておくとともに、ユーザの欲しい商品に関する欲しい商品情報を、当該商品の前記仕様識別情報と欲しい商品の状態を示す状態情報とを含めて、前記オークションを利用可能なユーザ毎に対応付けて登録しておくデータベースを備えるオークション処理装置に含まれるコンピュータを、
ユーザにより指定された条件に基づいて検索された商品の前記仕様情報を表示する画面を構成する仕様画面情報を、前記入札者端末装置に送信する仕様画面情報送信手段、
前記仕様画面情報を受信した前記入札者端末装置から、当該仕様画面情報によって前記仕様情報が表示される商品を欲しい商品として登録する要求を示す欲しい商品登録要求情報であり、且つ、ユーザにより指定された前記状態情報を含む欲しい商品登録要求情報を受信する欲しい商品登録要求受信手段、
前記受信された欲しい商品登録要求情報に基づいて、前記送信された仕様画面情報によって前記仕様情報が表示される商品の前記仕様識別情報と、当該商品登録要求情報に含まれる前記状態情報と、を含む前記欲しい商品情報を前記データベースに登録する欲しい商品情報登録手段、
商品の出品要求を示す出品要求情報が、ユーザの指令に基づいて前記出品者端末装置から送信されてきたときに、当該出品要求情報を受信する出品要求受信手段、
前記受信された出品要求情報に基づいて、出品される商品に関する出品商品情報を、当該商品の前記仕様識別情報及び当該商品の状態を示す状態情報を含めて、前記データベースに登録する出品商品情報登録手段、及び、
前記出品商品情報が登録された場合に、当該出品商品情報に含まれる前記仕様識別情報及び前記状態情報と同一の前記仕様識別情報及び前記状態情報を含む前記欲しい商品情報に対応するユーザの利用する入札者端末装置に、当該欲しい商品情報が示す商品が出品されたことを通知する出品通知情報を送信する出品通知情報送信手段、
として機能させることを特徴とする出品通知処理プログラム。
【請求項８】
商品の出品に用いられる出品者端末装置と、出品された商品の入札に用いられる入札者端末装置と、ネットワークを介して、前記出品者端末装置と、前記入札者端末装置と、からの要求に夫々応じてオークションに関する処理を行うオークション処理装置と、を備えるオークションシステムであって、
前記オークション処理装置は、
商品の仕様を示す仕様情報を、当該仕様の商品を一意に識別するための仕様識別情報と対応付けて登録しておくとともに、ユーザの欲しい商品に関する欲しい商品情報を、当該商品の前記仕様識別情報と欲しい商品の状態を示す状態情報とを含めて、前記オークションを利用可能なユーザ毎に対応付けて登録しておくデータベースと、
ユーザにより指定された条件に基づいて検索された商品の前記仕様情報を表示する画面を構成する仕様画面情報を、前記入札者端末装置に送信する仕様画面情報送信手段と、
前記仕様画面情報を受信した前記入札者端末装置から、当該仕様画面情報によって前記仕様情報が表示される商品を欲しい商品として登録する要求を示す欲しい商品登録要求情報であり、且つ、ユーザにより指定された前記状態情報を含む欲しい商品登録要求情報を受信する欲しい商品登録要求受信手段と、
前記受信された欲しい商品登録要求情報に基づいて、前記送信された仕様画面情報によって前記仕様情報が表示される商品の前記仕様識別情報と、当該商品登録要求情報に含まれる前記状態情報と、を含む前記欲しい商品情報を前記データベースに登録する欲しい商品情報登録手段と、
商品の出品要求を示す出品要求情報が、ユーザの指令に基づいて前記出品者端末装置から送信されてきたときに、当該出品要求情報を受信する出品要求受信手段と、
前記受信された出品要求情報に基づいて、出品される商品に関する出品商品情報を、当該商品の前記仕様識別情報及び当該商品の状態を示す状態情報を含めて、前記データベースに登録する出品商品情報登録手段と、
前記出品商品情報が登録された場合に、当該出品商品情報に含まれる前記仕様識別情報及び前記状態情報と同一の前記仕様識別情報及び前記状態情報を含む前記欲しい商品情報に対応するユーザの利用する入札者端末装置に、当該欲しい商品情報が示す商品が出品されたことを通知する出品通知情報を送信する出品通知情報送信手段と、を備え、
前記出品者端末装置は、
ユーザの指令に基づいて、前記出品要求情報を前記オークション処理装置に送信する出品要求送信手段を備え、
前記入札者端末装置は、
前記オークション処理装置から送信された前記仕様画面情報を受信する仕様画面情報受信手段と、
前記受信された仕様画面情報に基づいて前記仕様情報を表示する表示手段と、
ユーザにより指定された前記状態情報を含む欲しい商品登録要求情報を前記オークション処理装置に送信する商品登録要求情報送信手段と、
前記オークション処理装置から送信された前記出品通知情報を受信する出品通知情報受信手段と、
前記受信された出品通知情報に基づいて、欲しい商品が出品されたことをユーザに対して通知する通知手段と、
を備えることを特徴とするオークションシステム。
【発明の詳細な説明】
【技術分野】
【０００１】
本発明は、ネットワークを介して商品の競売を行うためのオークション処理装置、出品通知処理方法、出品通知処理プログラム及びオークションシステムの技術分野に関する。
【背景技術】
【０００２】
従来から、パーソナルコンピュータ等の端末装置を用いてインターネット等のネットワークに接続し、サーバ装置等から提供されるＷｅｂページ等を通じて、商品の出品や入札などのオークションを可能とするオークションシステムが知られている。
【０００３】
一般的なオークションシステムにおいては、毎日２４時間、常に新しい商品が出品されるようになっていることから、オークションの入札に参加したいユーザは、出品状況を常に監視する必要がある。こうしたことから、ユーザが欲しい商品が出品された場合に、その旨が通知されると、常に出品状況を監視する必要がないので、便利である。また、この通知によって、オークションシステム側においても、当該システムの利用を促進するというメリットを享受することができる。
【０００４】
例えば、非特許文献１（Ｙａｈｏｏ！（登録商標）オークション）には、欲しい商品の名称などのキーワードやカテゴリなどの条件を、オークションアラートに登録しておくと、条件の一致する商品が出品されたときに通知することが記載されている。
【非特許文献１】条件に合う商品が出品されたら通知する（オークションアラート）、[平成19年12月25日検索]、インターネット<http://help.yahoo.co.jp/help/jp/auct/bid/bid-05.html>
【発明の開示】
【発明が解決しようとする課題】
【０００５】
しかしながら、非特許文献１に記載の発明では、欲しい商品が明確になっている場合でも、その欲しい商品以外の商品の出品が通知される場合がある。例えば、オークションアラートにカテゴリを登録した場合には、そのカテゴリに出品された全ての商品について通知が行われてしまう。また、欲しい商品の名称や型番などをキーワードとして登録したとしても、そのキーワードが、欲しい商品ではないオークションの説明欄等にたまたま記載してあったり、キーワード検索のヒット率を高めるために、商品名や説明欄等にわざとそのキーワードを埋め込んでいた場合等にも、通知が行われてしまう。
【０００６】
従って、ユーザは、自分が欲しい商品以外の商品の出品についての通知も受ける可能性があるため、その通知内容や、通知されたオークションの内容から、自分が欲しい商品が出品されたのか否かを見分けなければならないという、煩わしさがあった。
【０００７】
本発明は、以上の点に鑑みてなされたものであり、ユーザの欲しい商品が出品されたことをそのユーザに対して通知する場合に、ユーザが欲しくはない商品の出品が通知されることを防止することを可能とするオークション処理装置、出品通知処理方法、出品通知処理プログラム及びオークションシステムを提供することを目的とする。
【課題を解決するための手段】
【０００８】
上記課題を解決するために、請求項１に記載の発明は、ネットワークを介して、商品の出品に用いられる出品者端末装置と、出品された商品の入札に用いられる入札者端末装置と、からの要求に夫々応じて、オークションに関する処理を行うオークション処理装置であって、商品の仕様を示す仕様情報を、当該仕様の商品を一意に識別するための仕様識別情報と対応付けて登録しておくとともに、ユーザの欲しい商品に関する欲しい商品情報を、当該商品の前記仕様識別情報と欲しい商品の状態を示す状態情報とを含めて、前記オークションを利用可能なユーザ毎に対応付けて登録しておくデータベースと、ユーザにより指定された条件に基づいて検索された商品の前記仕様情報を表示する画面を構成する仕様画面情報を、前記入札者端末装置に送信する仕様画面情報送信手段と、前記仕様画面情報を受信した前記入札者端末装置から、当該仕様画面情報によって前記仕様情報が表示される商品を欲しい商品として登録する要求を示す欲しい商品登録要求情報であり、且つ、ユーザにより指定された前記状態情報を含む欲しい商品登録要求情報を受信する欲しい商品登録要求受信手段と、前記受信された欲しい商品登録要求情報に基づいて、前記送信された仕様画面情報によって前記仕様情報が表示される商品の前記仕様識別情報と、当該商品登録要求情報に含まれる前記状態情報と、を含む前記欲しい商品情報を前記データベースに登録する欲しい商品情報登録手段と、商品の出品要求を示す出品要求情報が、ユーザの指令に基づいて前記出品者端末装置から送信されてきたときに、当該出品要求情報を受信する出品要求受信手段と、前記受信された出品要求情報に基づいて、出品される商品に関する出品商品情報を、当該商品の前記仕様識別情報及び当該商品の状態を示す状態情報を含めて、前記データベースに登録する出品商品情報登録手段と、前記出品商品情報が登録された場合に、当該出品商品情報に含まれる前記仕様識別情報及び前記状態情報と同一の前記仕様識別情報及び前記状態情報を含む前記欲しい商品情報に対応するユーザの利用する入札者端末装置に、当該欲しい商品情報が示す商品が出品されたことを通知する出品通知情報を送信する出品通知情報送信手段と、を備えることを特徴とする。
【０００９】
この発明によれば、商品を出品する際にその商品の仕様を一意に識別するための仕様識別情報を含む出品商品情報が登録される。ここで、同一の商品、すなわち、仕様が同一である複数の商品が別個に出品されたとしても、これらの商品の仕様は同一であるから、夫々の出品商品情報に含まれる仕様識別情報も一致する。一方、異なる商品、すなわち、仕様が互いに異なる複数の商品が別個に出品された場合には、夫々の出品商品情報に含まれる仕様識別情報は一致しない。従って、欲しい商品の仕様を示す仕様識別情報を登録しておくことで、その商品が出品されたことを、出品商品情報の仕様識別情報から確実に特定することができるので、ユーザが欲しくはない商品が出品されたことが当該ユーザに対して通知されてしまうという、望ましくない結果を防止することができる。
また、ユーザは、商品の仕様を確認した上で、その商品を欲しい商品として登録することができるので、ユーザが欲しい商品を確実に特定することができる。
【００１２】
請求項２に記載の発明は、請求項１に記載のオークション処理装置において、前記仕様情報には、当該仕様情報が示す仕様の商品に関連する他の商品を特定するための第１特定情報が付加されており、入力者により入力された前記仕様情報を前記データベースに登録する仕様情報登録手段と、前記仕様情報が登録された場合に、当該仕様情報に付加された前記第１特定情報が示す商品の前記仕様識別情報を含む前記欲しい商品情報に対応するユーザの利用する前記入力者端末装置に、当該仕様情報が示す仕様の商品を欲しい商品として登録することを促すための促し情報を送信する促し情報送信手段と、を更に備えることを特徴とする。
【００１３】
この発明によれば、ユーザが欲しい商品として既に登録されている商品の関連商品も、当該ユーザが欲しがる可能性があることから、その関連商品についての仕様情報が登録されたときに、欲しい商品として登録することを促すことで、ユーザは、その登録を行うことが喚起される。そして、関連商品も欲しい商品として登録されると、既に登録されている商品とともに、関連商品が出品されたときにも、ユーザは、確実にその旨の通知を受けることができる。
【００１４】
請求項３に記載の発明は、請求項１または請求項２に記載のオークション処理装置において、前記仕様情報には、当該仕様情報が示す仕様の商品と同じシリーズに属する他の商品であって、且つ、その仕様上、当該仕様情報が示す仕様の商品の販売が開始された後に販売が開始される他の商品を特定するための第２特定情報が付加されており、前記出品通知情報送信手段は、前記データベースに登録された前記欲しい商品情報に含まれる前記仕様識別情報が対応する前記仕様情報に前記第２特定情報が付加されている場合において、当該第２特定情報が示す商品の前記仕様識別情報を含む前記出品商品情報が登録された場合には、当該第２特定情報が示す商品が出品されたことを通知する前記出品通知情報を、当該欲しい商品情報に対応するユーザの利用する入札者端末装置に送信することを特徴とする。
【００１５】
この発明によれば、ユーザが欲しい商品として既に登録されている商品よりも、その商品と同じシリーズに属する新商品の方が、例えば、機能面、デザイン面、価格面等において優れている場合が多く、新商品の方を当該ユーザが欲しがる可能性が高いことから、その新商品が出品されたときにその旨を通知することによって、ユーザフレンドリーな環境を提供することができる。
【００１６】
請求項４に記載の発明は、請求項１乃至３の何れか１項に記載のオークション処理装置において、前記データベースに登録された前記出品商品情報が示す商品が落札された場合に、当該商品の落札価格を含む落札の内容を示す落札情報を、当該出品商品情報に含まれる前記仕様識別情報を含めて、当該データベースに登録する落札情報登録手段を更に備え、前記出品通知情報送信手段は、前記出品商品情報が前記データベースに登録された場合に、当該出品商品情報に含まれる前記仕様識別情報を含む前記落札情報を特定し、当該落札情報に含まれる落札価格に基づいて、当該出品商品情報が示す商品の落札相場を算出し、当該落札相場の通知を含む前記出品通知情報を送信することを特徴とする。
【００１７】
この発明によれば、欲しい商品が出品されたことが通知される際に、その商品の落札相場も通知されるので、入札者であるユーザは、この落札相場を参考にして、欲しい商品の入札額を決めることができる。
【００１８】
請求項５に記載の発明は、請求項１乃至４の何れか１項に記載のオークション処理装置において、前記出品通知情報送信手段は、前記欲しい商品情報に対応するユーザの電子メールアドレスを特定し、当該電子メールアドレス宛に、前記出品通知情報が示す欲しい商品が出品されたことを通知する電子メールを送信することを特徴とする。
【００１９】
請求項６に記載の発明は、ネットワークを介して、商品の出品に用いられる出品者端末装置と、出品された商品の入札に用いられる入札者端末装置と、からの要求に夫々応じて、オークションに関する処理を行うオークション処理装置であって、商品の仕様を示す仕様情報を、当該仕様の商品を一意に識別するための仕様識別情報と対応付けて登録しておくとともに、ユーザの欲しい商品に関する欲しい商品情報を、当該商品前記仕様識別情報と欲しい商品の状態を示す状態情報とを含めて、前記オークションを利用可能なユーザ毎に対応付けて登録しておくデータベースを備えるオークション処理装置により実行される出品通知処理方法において、ユーザにより指定された条件に基づいて検索された商品の前記仕様情報を表示する画面を構成する仕様画面情報を、前記入札者端末装置に送信する仕様画面情報送信工程と、前記仕様画面情報を受信した前記入札者端末装置から、当該仕様画面情報によって前記仕様情報が表示される商品を欲しい商品として登録する要求を示す欲しい商品登録要求情報であり、且つ、ユーザにより指定された前記状態情報を含む欲しい商品登録要求情報を受信する欲しい商品登録要求受信工程と、前記受信された欲しい商品登録要求情報に基づいて、前記送信された仕様画面情報によって前記仕様情報が表示される商品の前記仕様識別情報と、当該商品登録要求情報に含まれる前記状態情報と、を含む前記欲しい商品情報を前記データベースに登録する欲しい商品情報登録工程と、商品の出品要求を示す出品要求情報が、ユーザの指令に基づいて前記出品者端末装置から送信されてきたときに、当該出品要求情報を受信する出品要求受信工程と、前記受信された出品要求情報に基づいて、出品される商品に関する出品商品情報を、当該商品の前記仕様識別情報及び当該商品の状態を示す状態情報を含めて、前記データベースに登録する出品商品情報登録工程と、前記出品商品情報が登録された場合に、当該出品商品情報に含まれる前記仕様識別情報及び前記状態情報と同一の前記仕様識別情報及び前記状態情報を含む前記欲しい商品情報に対応するユーザの利用する入札者端末装置に、当該欲しい商品情報が示す商品が出品されたことを通知する出品通知情報を送信する出品通知情報送信工程と、を含むことを特徴とする。
【００２０】
請求項７に記載の発明は、ネットワークを介して、商品の出品に用いられる出品者端末装置と、出品された商品の入札に用いられる入札者端末装置と、からの要求に夫々応じて、オークションに関する処理を行うオークション処理装置であって、商品の仕様を示す仕様情報を、当該仕様の商品を一意に識別するための仕様識別情報と対応付けて登録しておくとともに、ユーザの欲しい商品に関する欲しい商品情報を、当該商品の前記仕様識別情報と欲しい商品の状態を示す状態情報とを含めて、前記オークションを利用可能なユーザ毎に対応付けて登録しておくデータベースを備えるオークション処理装置に含まれるコンピュータを、ユーザにより指定された条件に基づいて検索された商品の前記仕様情報を表示する画面を構成する仕様画面情報を、前記入札者端末装置に送信する仕様画面情報送信手段、前記仕様画面情報を受信した前記入札者端末装置から、当該仕様画面情報によって前記仕様情報が表示される商品を欲しい商品として登録する要求を示す欲しい商品登録要求情報であり、且つ、ユーザにより指定された前記状態情報を含む欲しい商品登録要求情報を受信する欲しい商品登録要求受信手段、前記受信された欲しい商品登録要求情報に基づいて、前記送信された仕様画面情報によって前記仕様情報が表示される商品の前記仕様識別情報と、当該商品登録要求情報に含まれる前記状態情報と、を含む前記欲しい商品情報を前記データベースに登録する欲しい商品情報登録手段、商品の出品要求を示す出品要求情報が、ユーザの指令に基づいて前記出品者端末装置から送信されてきたときに、当該出品要求情報を受信する出品要求受信手段、前記受信された出品要求情報に基づいて、出品される商品に関する出品商品情報を、当該商品の前記仕様識別情報及び当該商品の状態を示す状態情報を含めて、前記データベースに登録する出品商品情報登録手段、及び、前記出品商品情報が登録された場合に、当該出品商品情報に含まれる前記仕様識別情報及び前記状態情報と同一の前記仕様識別情報及び前記状態情報を含む前記欲しい商品情報に対応するユーザの利用する入札者端末装置に、当該欲しい商品情報が示す商品が出品されたことを通知する出品通知情報を送信する出品通知情報送信手段、として機能させることを特徴とする。
【００２１】
上記課題を解決するために、請求項８に記載の発明は、商品の出品に用いられる出品者端末装置と、出品された商品の入札に用いられる入札者端末装置と、ネットワークを介して、前記出品者端末装置と、前記入札者端末装置と、からの要求に夫々応じてオークションに関する処理を行うオークション処理装置と、を備えるオークションシステムであって、前記オークション処理装置は、商品の仕様を示す仕様情報を、当該仕様の商品を一意に識別するための仕様識別情報と対応付けて登録しておくとともに、ユーザの欲しい商品に関する欲しい商品情報を、当該商品の前記仕様識別情報と欲しい商品の状態を示す状態情報とを含めて、前記オークションを利用可能なユーザ毎に対応付けて登録しておくデータベースと、ユーザにより指定された条件に基づいて検索された商品の前記仕様情報を表示する画面を構成する仕様画面情報を、前記入札者端末装置に送信する仕様画面情報送信手段と、前記仕様画面情報を受信した前記入札者端末装置から、当該仕様画面情報によって前記仕様情報が表示される商品を欲しい商品として登録する要求を示す欲しい商品登録要求情報であり、且つ、ユーザにより指定された前記状態情報を含む欲しい商品登録要求情報を受信する欲しい商品登録要求受信手段と、前記受信された欲しい商品登録要求情報に基づいて、前記送信された仕様画面情報によって前記仕様情報が表示される商品の前記仕様識別情報と、当該商品登録要求情報に含まれる前記状態情報と、を含む前記欲しい商品情報を前記データベースに登録する欲しい商品情報登録手段と、商品の出品要求を示す出品要求情報が、ユーザの指令に基づいて前記出品者端末装置から送信されてきたときに、当該出品要求情報を受信する出品要求受信手段と、前記受信された出品要求情報に基づいて、出品される商品に関する出品商品情報を、当該商品の前記仕様識別情報及び当該商品の状態を示す状態情報を含めて、前記データベースに登録する出品商品情報登録手段と、前記出品商品情報が登録された場合に、当該出品商品情報に含まれる前記仕様識別情報及び前記状態情報と同一の前記仕様識別情報及び前記状態情報を含む前記欲しい商品情報に対応するユーザの利用する入札者端末装置に、当該欲しい商品情報が示す商品が出品されたことを通知する出品通知情報を送信する出品通知情報送信手段と、を備え、前記出品者端末装置は、ユーザの指令に基づいて、前記出品要求情報を前記オークション処理装置に送信する出品要求送信手段を備え、前記入札者端末装置は、前記オークション処理装置から送信された前記仕様画面情報を受信する仕様画面情報受信手段と、前記受信された仕様画面情報に基づいて前記仕様情報を表示する表示手段と、ユーザにより指定された前記状態情報を含む欲しい商品登録要求情報を前記オークション処理装置に送信する商品登録要求情報送信手段と、前記オークション処理装置から送信された前記出品通知情報を受信する出品通知情報受信手段と、前記受信された出品通知情報に基づいて、欲しい商品が出品されたことをユーザに対して通知する通知手段と、を備えることを特徴とする。
【発明の効果】
【００２２】
本発明によれば、商品を出品する際にその商品の仕様を一意に識別するための仕様識別情報を登録するとともに、欲しい商品の仕様を示す仕様識別情報を登録しておくことで、欲しい商品が出品されたことを、仕様識別情報から確実に特定することができるので、ユーザが欲しくはない商品の出品の通知を防止することができ、その結果、ユーザが欲しい商品の出品のみを通知することができる。
また、ユーザは、商品の仕様を確認した上で、その商品を欲しい商品として登録することができるので、ユーザが欲しい商品を確実に特定することができる。
【発明を実施するための最良の形態】
【００２３】
以下、図面を参照して本発明の最良の実施形態について詳細に説明する。なお、以下に説明する実施の形態は、商品取引システムに対して本発明を適用した場合の実施形態である。
【００２４】
［１．商品取引システムの構成及び機能概要］
先ず、本実施形態に係る商品取引システムＳの構成及び概要機能について、図１を用いて説明する。
【００２５】
図１は、本実施形態に係る商品取引システムＳの概要構成の一例を示す図である。
【００２６】
図１に示すように、商品取引システムＳは、商品取引サイトシステム１と、店舗端末３−ｊ（ｊ＝１，２・・・ｍ）と、出品者端末装置及び入札者端末装置の一例としてのユーザ端末４−ｋ（ｋ＝１，２・・・ｎ）と、を含んで構成されている。
【００２７】
商品取引サイトシステム１は、ショッピングデータベース１０１を備えるショッピングサーバ１−１と、オークションデータベース１０２を備えるオークションサーバ１−２と、会員情報データベース１００と、を備えている。このとき、ショッピングサーバ１−１、ショッピングデータベース１０１、オークションサーバ１−２及びオークションデータベース１０２は、オークション処理装置の一例を構成する。
【００２８】
ショッピングサーバ１−１とオークションサーバ１−２とは、例えば、ＬＡＮ（Local Area Network）等のネットワークＮＷ２を介して、通信プロトコルにＴＣＰ／ＩＰ（Transmission Control Protocol/Internet Protocol）等を用いて相互にデータの送受信が可能になっているとともに、当該ネットワークＮＷ２を介して会員情報データベース１００にアクセスするようになっている。
【００２９】
また、ショッピングサーバ１−１及びオークションサーバ１−２と、店舗端末３−ｊ及びユーザ端末４−ｋとは、ネットワークＮＷ１を介して、例えば、通信プロトコルにＴＣＰ／ＩＰ等を用いて相互にデータの送受信が可能になっている。なお、ネットワークＮＷ１は、例えば、インターネット、専用通信回線（例えば、ＣＡＴＶ（Community Antenna Television）回線）、移動体通信網（基地局等を含む）、及びゲートウェイ等により構築されている。
【００３０】
このような構成の商品取引システムＳにおいて、商品取引サイトシステム１は、例えば、ネットワークＮＷ１を通じて各種のサービスを提供するサービス提供事業者により、商品の販売を業とする企業、個人事業主等のみが商品を販売することができるショッピングサイトと、企業等に加えて、一般消費者であるユーザも商品を出品することができるオークションサイトと、を運営するために構築されたシステムである。
【００３１】
このサービス提供事業者は、ＡＳＰ（Application Service Provider）でもあり、商品を販売する複数の企業等と出店契約を締結して、これらの企業等がショッピングサイト上で出店して商品の販売を可能とするためのアプリケーションを、ショッピングサーバ１−１を通じて提供するようになっている。企業等は、事前にサービス提供事業者による出店審査を経なければならないようになっており、この出店審査において、信用のおける販売業者と認められた企業等に対してのみ、ショッピングサイトでの出店が許可されるようになっている。なお、サービス提供事業者と出店契約を結んだ企業等を、以下、「店舗」と称する。
【００３２】
サービス提供事業者と契約している店舗に関する情報や、ショッピングサイトで販売されている商品の情報、ユーザが購入した商品に関する情報等は、ショッピングデータベース１０１に登録されている。また、オークションサイトでの出品に関する情報、入札に関する情報、落札に関する情報等は、オークションデータベース１０２に登録されている。また、ショッピングサイトで商品を購入したり、オークションサイトで商品の出品や入札を行うために、ユーザは、商品取引システムＳの会員登録手続を行うことにより、当該システムを利用することが可能になっており（以下、商品取引システムＳを利用することができるユーザを「会員」とも称する）、登録された会員に関する会員情報等は会員情報データベース１００に登録されるようになっている。
【００３３】
そして、ショッピングサーバ１−１は、店舗端末３−ｊやユーザ端末４−ｋのリクエストに応じて、ショッピングデータベース１０１や会員情報データベース１００にアクセスしつつ、店舗とユーザとの間における商品の売買を成立させるための処理を行うようになっている。
【００３４】
また、ショッピングサーバ１−１は、ショッピングサイトで販売されている商品や、オークションサイトで出品されている商品のカタログ情報を表示する、図８を用いて後述するカタログページ３００（Ｗｅｂページ：仕様画面情報の一例）をユーザ端末４−ｋに送信するようになっており、これによって、ユーザは、商品の仕様や内容を閲覧することができるようになっている。このカタログ情報は、サービス提供事業者によって予め入力された情報であり、ショッピングデータベース１０１に登録されている。また、このカタログ情報は、対象商品を販売する店舗が異なる場合等でも変化しない共通の情報であって、主として客観的な情報で構成されている。
【００３５】
一方、オークションサーバ１−２は、ユーザ端末４−ｋのリクエストに応じて、オークションデータベース１０２や会員情報データベース１００にアクセスしつつ、ユーザ端末４−ｋのユーザ間における競売を成立させるための処理を行うようになっている。
【００３６】
商品取引サイトシステム１は、更に、会員に対して、ブログ（Blog）サービスやＳＮＳ（Social Networking Service）を、図示せぬサーバ装置（または、ショッピングサーバ１−１やオークションサーバ１−２）を用いて提供するようになっている。会員は、自分の欲しい商品や、自分が所有しているお気に入りの商品等を、このブログサービスやＳＮＳを通じて他の会員等に公開することができるようになっている。これら会員の欲しい商品や、会員が所有しているお気に入りの商品に関する情報は、オークションデータベース１０２に登録されるようになっている。
【００３７】
そして、上記サービスの提供に関連して、商品取引サイトシステム１は、会員が欲しい商品がオークションサイトで出品された場合には、その旨を当該会員に通知するようになっており、これによって、その商品の入札が当該会員に対して促されることになる。ここで、詳細は後述するが、会員が欲しい商品に関する情報と、オークションサイトで出品された商品に関する情報とは、それぞれカタログＩＤ（仕様識別情報の一例）によって、対象とする商品のカタログ情報と対応付けられている。このカタログＩＤを利用することにより、会員が欲しくはない商品が出品されたことが、誤って通知されることを防止することができるようになっている。なお、会員が欲しい商品のリストを、「欲しいものリスト」と称する。
【００３８】
次に、店舗端末３−ｊは、サービス提供事業者と出店契約を締結した店舗により利用される端末装置であり、例えば、パーソナルコンピュータ等を適用することができる。そして、店舗端末３−ｊは、ショッピングサーバ１−１やオークションサーバ１−２にアクセスして、Ｗｅｂページを取得し、画面に表示するようになっている。これにより、店舗は、Ｗｅｂページを通じて、ショッピングサイトにおける売り出し中の商品のページの管理を行ったり、販売履歴等の確認を行うことができるようになっているとともに、オークションサイトにおいて商品の出品や入札を行うことができるようになっている。
【００３９】
次に、ユーザ端末４−ｋは、ショッピングサーバ１−１やオークションサーバ１−２にアクセスしてＷｅｂページを取得し、画面に表示するようになっている。これにより、ユーザは、当該Ｗｅｂページを通じて、商品の購入を行ったり、商品の出品や入札を行うことができるようになっている。このユーザ端末４−ｋは、例えば、パーソナルコンピュータ、ＰＤＡ（Personal Digital Assistant）、ＳＴＢ（Set Top Box）、携帯電話機等を適用することができる。
【００４０】
なお、店舗端末３−ｊ及びユーザ端末４−ｋには、夫々所定のオペレーティングシステム、Ｗｅｂブラウザアプリケーション、電子メールアプリケーション等がインストールされている。
【００４１】
［２．ショッピングサーバ、オークションサーバの構成及び機能、会員情報データベースの構成］
次に、ショッピングサーバ１−１及びオークションサーバ１−２の構成及び機能、並びに、会員情報データベース１００の構成について、図２乃至図６を用いて説明する。
【００４２】
図２は、本実施形態に係るショッピングサーバ１−１及びオークションサーバ１−２の概要構成の一例を示すブロック図である。また、図３は、会員情報データベース１００に登録される情報の内容の一例を示す図である。また、図４は、ショッピングデータベース１０１に登録される情報の内容の一例を示す図である。また、図５は、オークションデータベース１０２に登録される情報の内容の一例を示す図である。また、図６は、欲しい商品情報に設定される内容の一例を示す図である。
【００４３】
なお、ショッピングサーバ１−１及びオークションサーバ１−２のハードウエアの構成は基本的に同一であるので、以下、まとめて説明する。
【００４４】
図２に示すように、ショッピングサーバ１−１及びオークションサーバ１−２は、操作部１１と、表示部１２と、通信部１３と、ドライブ部１４と、記憶部１５と、入出力インタフェース部１６と、システム制御部２０と、を備えている。そして、システム制御部２０と入出力インタフェース部１６とは、システムバス２１を介して接続されている。
【００４５】
操作部１１は、例えば、キーボード、マウス等により構成されており、オペレータ等からの操作指示を受け付け、その指示内容を指示信号としてシステム制御部２０に出力するようになっている。表示部１２は、例えば、ＣＲＴ（Cathode Ray Tube）ディスプレイ、液晶ディスプレイ等により構成されており、文字や画像等の情報を表示するようになっている。通信部１３は、ネットワークＮＷ１、ＮＷ２等に接続して、他のサーバ装置、店舗端末３−ｊ、ユーザ端末４−ｋ等との通信状態を制御するようになっている。ドライブ部１４は、例えば、フレキシブルディスク、ＣＤ（Compact Disc）、ＤＶＤ（Digital Versatile Disc）等のディスクＤＫからデータ等を読み出す一方、当該ディスクＤＫに対してデータ等を記録するようになっている。記憶部１５は、例えば、ハードディスクドライブ等により構成されており、各種プログラム及びデータ等を記憶するようになっている。入出力インタフェース部１６は、操作部１１〜記憶部１５とシステム制御部２０との間のインタフェース処理を行うようになっている。システム制御部２０は、ＣＰＵ（Central Processing Unit）１７、ＲＯＭ（Read Only Memory）１８、ＲＡＭ（Random Access Memory）１９等により構成されている。
【００４６】
次に、会員情報データベース１００は、ＮＡＳ（Network Attached Storage）等に格納されたハードディスク上等に構築されている。そして、図３に示すように、会員情報データベース１００には、商品取引システムＳの会員に関する会員情報が、当該会員を識別するための会員ＩＤに対応付けられて登録されている。具体的に会員情報には、例えば、会員ＩＤ、ログインするためのパスワード、会員の氏名、郵便番号、住所、電話番号、電子メールアドレス、生年月日、性別、クレジットカードのカード番号及びその有効期限等が設定される。
【００４７】
なお、会員情報データベース１００は、当該データベースを管理するためのＤＢＭＳ（Relational DataBase Management System）等が組み込まれた会員情報データベース管理サーバによって管理されても良い。この場合、会員情報データベース１００への各サーバからのアクセスは、会員情報データベース管理サーバを介して行われることとなる。
【００４８】
ショッピングサーバ１−１の記憶部１５には、ショッピングデータベース１０１が構築されている。そして、図４に示すように、ショッピングデータベース１０１には、ユーザ系情報、店舗系情報及びカタログ情報が登録されている。
【００４９】
先ず、ユーザ系情報は、ショッピングサイトを利用する会員に関する情報であり、会員ＩＤに対応付けて登録されている。具体的に、ユーザ系情報には、会員ＩＤ、会員のニックネーム、購入履歴、レビュー情報、ポイントが設定される。
【００５０】
ここで、購入履歴は、会員の、ショッピングサイトにおける商品購入についての履歴を示す情報であり、一度の購入毎に、購入履歴ＩＤと対応付けられて登録されている。具体的に、購入履歴には、購入履歴ＩＤ、商品の購入日時、購入先の店舗を識別するための店舗ＩＤ、購入された商品を識別するための商品ＩＤ、購入された商品についてのカタログ情報を識別するためのカタログＩＤ、購入価格、注文者情報（商品を注文（購入）したユーザの郵便番号、住所、氏名、電話番号、電子メールアドレス等）、送付先情報（購入された商品の送付先の郵便番号、住所、氏名、電話番号等）、出品リコメンド（Recommend）状態等が設定される。
【００５１】
出品リコメンド状態は、ショッピングサイトで会員が購入した商品をオークションサイトで出品する（このような形態の出品を、以下、「リコメンド出品」と称する）ように当該会員に対して勧めたか否か等を示す情報であり、リコメンド未実施、リコメンド実施中、または、リコメンド終了の何れかが設定される。リコメンド未実施は、出品リコメンド（出品を勧めること）を未だ行っていない状態を示し、リコメンド実施中は、出品リコメンドを行っている状態を示し、リコメンド終了は、該当の商品について出品が行われたため、出品リコメンドを終了した状態を示す。
【００５２】
また、レビュー情報は、購入した商品に対する会員の批評や評価、購入先の店舗に対する会員の批評や評価を示す情報である。
【００５３】
また、ポイントは、会員がショッピングサイトで商品を購入した場合やオークションサイトで商品を落札した場合に付与される点数であり、会員は、ショッピングサイトでの商品の購入代金や、オークションサイトで落札した商品の購入代金等に、当該ポイントを充てることができるようになっている。
【００５４】
次に、店舗系情報は、出店審査を経て、ショッピングサイトでの商品の販売を許可された店舗に関する情報を示し、店舗ＩＤに対応付けて登録されている。具体的に、店舗系情報には、店舗ＩＤ、店舗の名称を示す店舗名、売り出し中商品情報、販売履歴等が設定される。
【００５５】
ここで、売り出し中商品情報は、売り出された商品に関する情報であり、売り出された商品毎に、商品ＩＤと対応付けて登録されている。具体的に、売り出し中商品情報には、店舗ＩＤ、商品ＩＤ、売り出された商品のカタログ情報のカタログＩＤ、商品名、商品説明、商品個数、販売価格、商品等の画像データの登録先を示す画像ＵＲＬ（Uniform Resource Locator）等が設定される。
【００５６】
商品ＩＤは、各店舗内において一意に付与されており、店舗間では重複して付与される場合もある。ただし、商品ＩＤは、全店舗を通じて一意に付与されても良い。
【００５７】
カタログ情報は、上述したように、商品の仕様や内容を示す情報であり、商品毎に、カタログＩＤと対応付けて登録されている。具体的に、カタログ情報には、カタログＩＤ、商品名、ジャンル情報、商品概要情報、商品仕様情報（商品概要情報及び商品仕様情報は、仕様情報の一例）、商品画像データの登録先を示す画像ＵＲＬ、同シリーズ旧商品情報（第１特定情報の一例）等が設定される。
【００５８】
ここで、ジャンル情報は、商品が属するジャンルを示す情報である。このジャンルは、通常、階層構造で規定されている。例えば、ＡＢＣ社製の１２〜１４インチのディスプレイを備えるノートパソコンは、「トップ > パソコン・周辺機器 > パソコン・コンピュータ > ノートパソコン > ＡＢＣ > 12〜14インチ」と規定され、「>」の左側に示されるジャンルは、「>」の右側に示されるジャンルの直接上位に属するジャンルである。また、商品が複数のジャンルに属する場合には、複数のジャンル情報が設定されるようになっている。
【００５９】
また、商品概要情報は、商品の特徴などを簡単にまとめた文章情報である。
【００６０】
また、商品仕様情報は、商品の具体的な仕様や内容を示す情報である。例えば、ノートパソコンの場合は、製品名、型番、メーカー、シリーズ、標準価格、サイズ、発売日、搭載ＯＳ、搭載ＣＰＵ、ＣＰＵの動作周波数、搭載メモリーの容量、最大搭載メモリーの容量、メモリー規格、メモリーのスロット数、幅、高さ、奥行き、重量、バッテリー駆動時間、付属品等が設定される。また、例えば、動画ＤＶＤソフトの場合は、出演者、監督、受賞した賞、発売日、発売元、画像サイズ等が設定される。
【００６１】
また、同シリーズ旧商品情報には、そのカタログ情報が対応する商品と同じシリーズに属する他の商品であって、当該カタログ情報が対応する商品の発売日（販売が開始された日）よりも前に発売された他の商品のカタログＩＤが設定される。
【００６２】
なお、カタログ情報は、全ジャンルの商品について登録されても良いし、一部のジャンルの商品についてのみ登録されても良いが、当該カタログ情報は、商品の仕様を含むことから、各商品の品質が均一なもの（例えば、パソコン及びその周辺機器、オーディオ・ビジュアル機器、カメラ、家電製品、ＤＶＤ・ＣＤソフト、書籍、スポーツ用品、車等）については、登録しておくことが望ましく、その逆に、各商品の品質が均一ではないもの（例えば、生鮮食品、植物、ペット等）については、登録すべきではない。
【００６３】
オークションサーバ１−２の記憶部１５には、オークションデータベース１０２が構築されている。そして、図５に示すように、オークションデータベース１０２には、オークションに関する情報が、各会員毎に、会員ＩＤと対応付けて登録されている。具体的に、オークションデータベース１０２には、会員ＩＤ、会員のニックネーム、入札情報、落札情報、出品情報（出品商品情報の一例）、被落札情報、ウォッチリスト情報、評価情報、欲しい商品情報、お気に入り所有商品情報等が登録されている。
【００６４】
先ず、入札情報は、会員による入札に関する情報であり、入札した商品毎に、オークションＩＤと対応付けて登録されている。具体的に、入札情報には、オークションＩＤ、入札されたことによって付与される入札番号、入札日時、入札個数、入札価格等が設定される。
【００６５】
次に、落札情報は、会員によって落札された商品に関する情報であり、落札した商品毎に、オークションＩＤと対応付けて登録されている。具体的に、落札情報には、オークションＩＤ、入札番号、落札日時、落札個数、落札価格等が設定される。
【００６６】
次に、出品情報は、会員によって出品された商品に関する情報であり、出品された商品毎に、そのオークションを識別するためのオークションＩＤと対応付けて登録されている。具体的に、出品情報には、オークションＩＤ、出品された商品のカタログ情報のカタログＩＤ、商品名、出品個数、出品された商品が属するジャンルを示すジャンル情報、新品または中古を示す商品状態、出品者種別、商品説明文、開始価格、即落価格、最低入札価格、オークション開始日時、オークション終了日時、出品された商品等の画像データの登録先を示す画像ＵＲＬ、入札件数、現在価格、最高額で入札した会員の会員ＩＤ、当該会員のニックネーム等が設定される。また、出品された商品が、ショッピングサイトで購入された商品である場合には、出品情報には、購入先の店舗の店舗名と店舗ＩＤとが更に設定される。
【００６７】
次に、被落札情報は、会員によって出品された商品のうち、他の会員によって落札された商品に関する情報であり、落札された商品毎に、オークションＩＤと対応付けて登録されている。具体的に、被落札情報には、オークションＩＤ、カタログＩＤ、商品名、出品個数、ジャンル情報、商品状態、商品説明文、開始価格、即落価格、最低入札価格、オークション開始日時、オークション終了日時、画像ＵＲＬ、入札件数、現在価格、最高額で入札した会員の会員ＩＤ、当該会員のニックネーム、落札した会員の会員ＩＤ、落札した会員のニックネーム、落札価格等が設定される。
【００６８】
次に、欲しい商品情報は、会員が欲しいと思っている商品に関する情報であり、欲しい商品毎に、その商品を識別するための欲しい商品ＩＤと対応付けて登録されている。また、会員毎に欲しい商品情報をまとめたものが欲しいものリストに相当する。具体的に、欲しい商品情報は、図６に示すように、欲しい商品ＩＤ、欲しい商品のカタログＩＤ、出品通知対象商品状態情報、出品通知対象出品者情報、当該商品に関するコメント、欲しい商品オークション情報、同シリーズ新商品情報等が設定される。
【００６９】
ここで、出品通知対象商品状態情報は、欲しい商品がオークションサイトで出品された場合に、出品されたことを通知する対象とする商品状態を示す情報であり、具体的に、新品と中古の夫々に対して、通知対象または非通知が設定される。
【００７０】
また、出品通知対象出品者情報は、欲しい商品がオークションサイトで出品された場合に、出品されたことを通知する対象とする出品者の種別を示す情報であり、具体的に、ショッピングサイトで商品を販売し且つオークションサイトでも出品を行う店舗（以下、「ショッピングサイト販売店舗」と称する）、ショッピングサイトでは商品を販売せず、オークションサイトでのみ出品を行う店舗（以下、「ショッピングサイト非販売店舗」と称する）及び個人（ショッピングサイト販売店舗及びショッピングサイト非販売店舗以外の全て）の夫々に対して、通知対象または非通知が設定される。
【００７１】
また、欲しい商品オークション情報には、会員の欲しい商品が出品されているオークションの商品名及びオークションＩＤが設定される。
【００７２】
また、同シリーズ新商品情報には、会員の欲しい商品と同じシリーズに属する新商品（会員の欲しい商品の発売日よりも後に発売される商品）であって、まだ、欲しい商品情報として登録されていない商品の商品名及びカタログＩＤが設定される。
【００７３】
なお、欲しい商品のカタログＩＤの設定は必須ではない。
【００７４】
次に、お気に入り所有商品情報は、会員が所有している商品のうち、当該会員が気に入っている商品に関する情報であり、お気に入りの商品毎に、その商品を識別するためのお気に入り商品ＩＤと対応付けて登録されている。具体的に、お気に入り所有商品情報は、お気に入り商品ＩＤ、お気に入りの商品の商品名、カタログＩＤ、当該商品に関するコメント、当該商品の画像データの登録先を示す画像ＵＲＬ等が設定される。
【００７５】
なお、会員情報データベース１００、ショッピングデータベース１０１及びオークションデータベース１０２の一部または全部を一つのデータベースに統合しても良い。この場合は、例えば、統合したデータベースをＮＡＳに格納し、ネットワークＮＷ２等に接続して、ショッピングサーバ１−１及びオークションサーバ１−２の双方からのアクセスを可能に構成しても良い。
【００７６】
また、ショッピングサーバ１−１及びオークションサーバ１−２の記憶部１５には、夫々、ショッピングサイトやオークションサイトのＷｅｂページを構成するＨＴＭＬデータ、画像データ、音声データ、テキストデータ等が記憶されている。
【００７７】
更に、ショッピングサーバ１−１及びオークションサーバ１−２の記憶部１５には、夫々、所定のオペレーティングシステムの他、ＨＴＴＰ（Hyper Text Transfer Protocol）プロトコルを用いて、店舗端末３−ｊ、ユーザ端末４−ｋ等から送信されたリクエストに応じて、当該記憶部１５に記憶されている各種のデータに基づきＷｅｂページを生成し、当該Ｗｅｂページを店舗端末３−ｊ、ユーザ端末４−ｋ等に送信するためのＷＷＷ（World Wide Web）サーバプログラム、ＳＭＴＰ（Simple Mail Transfer Protocol）プロトコルを用いて、他のメールサーバから送信された電子メールを受信する一方、サーバ自らが作成した電子メールを、他のメールサーバに送信するためのメールサーバプログラム、各データベースを管理するデータベース管理プログラム等が記憶されている。
【００７８】
また更に、ショッピングサーバ１−１には、ショッピングデータベース１０１に登録されている各種情報を管理する管理プログラム、ショッピングサイトにおける商品の販売、購入等に関する処理を行うショッピング処理プログラム等が記憶されている。更にまた、オークションサーバ１−２には、オークションデータベース１０２に登録されている各種情報を管理する管理プログラム、オークションサイトにおける出品、入札、落札、出品者と落札者との間の連絡等に関する処理を行うオークション処理プログラム等が記憶されている。
【００７９】
なお、各種プログラム等は、例えば、他のサーバ装置等からネットワークＮＷ１を介して取得されるようにしても良いし、ＣＤ−ＲＯＭ等のディスクＤＫに記録されてドライブ部１４を介して読み込まれるようにしても良い。
【００８０】
ショッピングサーバ１−１のシステム制御部２０は、仕様情報登録手段及び仕様画面情報送信手段の一例を構成している。
【００８１】
そして、ショッピングサーバ１−１のシステム制御部２０は、ＣＰＵ１７が、ＲＯＭ１８や記憶部１５に記憶された各種プログラムを読み出し実行することによりショッピングサーバ１−１の各部を制御するとともに、上述した各手段等として機能するようになっている。
【００８２】
この各手段等としての機能について説明する。なお、以下の説明において、単に「システム制御部２０」というときは、「ショッピングサーバ１−１のシステム制御部２０」を意味するものとする。
【００８３】
仕様情報登録手段としてのシステム制御部２０は、例えば、管理者（入力者の一例）が、ショッピングサーバ１−１を直接操作し、あるいは、ネットワークＮＷ２に接続された図示せぬ端末装置を操作すること等によって、入力されたカタログ情報をショッピングデータベース１０１に登録するようになっている。このとき、システム制御部２０は、当該カタログ情報に対応するカタログＩＤを自動生成するか、あるいは、管理者により入力されたカタログＩＤを取得する等して、このカタログＩＤに対応付けて、カタログ情報を登録するようになっている。
【００８４】
管理者は、カタログ情報を入力する際に、同シリーズ旧商品情報を設定するために、カタログ情報が対応する商品と同じシリーズに属し、且つ、既にカタログ情報が登録されている他の商品のカタログＩＤを入力する。なお、商品仕様情報に、商品が属するシリーズと発売日が設定される場合には、その商品が発売される前に発売された同シリーズの他の商品を、これらの情報によって特定することが可能であるので、システム制御部２０が、商品仕様情報に基づいて同シリーズ旧商品情報を設定しても良い。
【００８５】
なお、オークションサーバ１−２において、既に欲しいものリストに登録されている商品と同じシリーズに属する新商品を欲しいものリストに登録することをユーザに勧めるために、システム制御部２０は、カタログ情報を登録する際に、このカタログ情報をオークションサーバ１−２に送信するようになっている。
【００８６】
また、仕様画面情報送信手段としてのシステム制御部２０は、ユーザ端末４−ｋからのリクエストに応じて、ユーザが要求する商品のカタログ情報を表示するカタログページ３００を、当該ユーザ端末４−ｋに送信するようになっている。
【００８７】
オークションサーバ１−２のシステム制御部２０は、出品要求受信手段、出品商品情報登録手段、出品通知情報送信手段、欲しい商品登録要求受信手段、欲しい商品情報登録手段、促し情報送信手段及び落札情報登録手段の一例を構成している。
【００８８】
そして、オークションサーバ１−２のシステム制御部２０は、ＣＰＵ１７が、ＲＯＭ１８や記憶部１５に記憶された各種プログラムを読み出し実行することによりオークションサーバ１−２の各部を制御するとともに、上述した各手段等として機能するようになっている。
【００８９】
この各手段等としての機能について説明する。なお、以下の説明において、単に「システム制御部２０」というときは、「オークションサーバ１−２のシステム制御部２０」を意味するものとする。
【００９０】
出品要求受信手段としてのシステム制御部２０は、予めユーザ端末４−ｋからのリクエストに応じて当該ユーザ端末４−ｋに送信した出品情報入力ページを通じて、出品する商品に関する情報がユーザにより選択されたことによって、当該ユーザ端末４−ｋから送信された入力出品情報（出品要求情報の一例）を受信するようになっている。
【００９１】
また、出品商品情報登録手段としてのシステム制御部２０は、受信された入力出品情報に基づいて、出品情報をオークションデータベース１０２に登録するようになっている。このとき、システム制御部２０は、出品リクエストに設定されているカタログＩＤを含めて、出品情報を登録するようになっている。
【００９２】
また、欲しい商品登録要求受信手段としてのシステム制御部２０は、予めユーザ端末４−ｋからのリクエストに応じて当該ユーザ端末４−ｋに送信した、図９を用いて後述する欲しいものリスト登録ページ４００を通じ、ユーザにより必要な情報が入力等されたことによって、当該ユーザ端末４−ｋから送信された入力欲しい商品情報（欲しい商品登録要求情報の一例）を受信するようになっている。
【００９３】
また、欲しい商品情報登録手段としてのシステム制御部２０は、受信された入力欲しい商品情報に基づいて、欲しい商品情報をオークションデータベース１０２に登録するようになっている。このとき、システム制御部２０は、入力欲しい商品情報に設定されているカタログＩＤを含めて、欲しい商品情報を登録するようになっている。
【００９４】
また、落札情報登録手段としてのシステム制御部２０は、オークションの開催期間が終了する際に、そのオークションについて入札が行われていた場合には、そのオークションにかけられた商品が落札されたとして落札処理を行い、被落札情報をオークションデータベース１０２に登録するようになっている。このとき、システム制御部２０は、落札価格及び出品された商品のカタログＩＤ（そのオークションの出品情報に設定されているカタログＩＤ）を設定した被落札情報を生成するようになっている。
【００９５】
また、出品通知情報送信手段としてのシステム制御部２０は、出品情報が登録された場合に、出品された商品を欲しいものリストに登録しているユーザに対して、その商品が出品されたことを通知するための情報（出品通知情報の一例）を、当該ユーザのユーザ端末４−ｋに送信するようになっている。
【００９６】
具体的に、システム制御部２０は、所定の期間（例えば、処理を行う日の前日）に登録された出品情報に設定されているカタログＩＤが、欲しい商品情報に設定されている欲しい商品のカタログＩＤと一致する場合には、オークションデータベース１０２に登録されている被落札情報のうち、当該カタログＩＤが設定されている被落札情報から落札価格を取得し、この落札価格に基づいて、欲しい商品の落札相場を算出するようになっている。また、システム制御部２０は、欲しい商品情報に対応するユーザの会員情報からユーザの電子メールアドレスを特定し、当該電子メール宛に出品通知メール（落札相場の記載を含む）を送信するようになっており、送信された出品通知メールは、メールサーバ等によりユーザ端末４−ｋに転送されるようになっている。
【００９７】
また、システム制御部２０は、その欲しい商品情報の欲しい商品オークション情報中に、登録された出品情報のオークションＩＤを追加設定するようになっている。また、システム制御部２０は、図１３を用いて後述する欲しいものリスト表示エリア６００を生成する際に、欲しい商品オークション情報中にオークションＩＤが設定されている欲しい商品情報については、欲しい商品が出品されていることをオークション情報表示エリア６２４に表示させるようになっている。このとき、システム制御部２０は、上記と同様にして、欲しい商品の落札相場を算出し、この落札相場を商品名表示エリア６２１に表示させるようになっている。
【００９８】
また、促し情報送信手段としてのシステム制御部２０は、ショッピングデータベース１０１にカタログ情報が登録された場合には、そのカタログ情報が対応する商品（新商品）と同シリーズに属する旧商品（新商品の発売日よりも前に発売されている商品）を欲しいものリストに登録しているユーザに対して、当該新商品を欲しいものリストに登録することを勧めるための情報（促し情報の一例）を、当該ユーザのユーザ端末４−ｋに送信するようになっている。実際には、システム制御部２０は、登録されたカタログ情報をショッピングサーバ１−１から受信して処理を行うようになっている。
【００９９】
具体的に、システム制御部２０は、カタログ情報が登録された後、このカタログ情報に同シリーズ旧商品情報として旧商品のカタログＩＤが設定されているときに、その旧商品のカタログＩＤが、欲しい商品情報に設定されている欲しい商品のカタログＩＤと一致する場合には、その欲しい商品情報に対応するユーザの会員情報からユーザの電子メールアドレスを特定し、当該電子メール宛に欲しいものリスト登録リコメンドメールを送信するようになっており、送信された出品通知メールは、メールサーバ等によりユーザ端末４−ｋに転送されるようになっている。また、システム制御部２０は、その欲しい商品情報の同シリーズ新商品情報に、新商品のカタログＩＤを追加設定するようになっている。また、システム制御部２０は図１３を用いて後述する欲しいものリスト表示エリア６００を生成する際に、同シリーズ新商品情報が設定されている欲しい商品情報については、その欲しい商品と同じシリーズに属する新商品を欲しいものリストに登録することを勧める情報を同シリーズ新商品表示エリア６２５に表示させるようになっている。
【０１００】
なお、ショッピングサーバ１−１とオークションサーバ１−２とを、一つのサーバ装置に統合しても良い。また、ショッピングサーバ１−１とオークションサーバ１−２とを、夫々、例えば、データベースを管理するサーバ、各種情報を提供するＷＷＷサーバ等の複数のサーバ装置により構成しても良い。
【０１０１】
［３．商品取引システムの動作］
次に、商品取引システムＳの動作について説明する。
【０１０２】
［３．１  欲しい商品の登録、欲しい商品の出品及び入札時の処理］
先ず、ユーザが欲しい商品を欲しいものリストに登録し、その欲しい商品が他のユーザにより出品されたときに、その旨を通知して、入札を行う場合における商品取引システムＳの動作について、図７乃至図１０を用いて説明する。
【０１０３】
図７は、本実施形態に係る商品取引システムＳの処理例を示すシーケンス図である。また、図８は、カタログページ３００の表示例を示す図である。また、図９は、欲しいものリスト登録ページ４００の表示例を示す図である。また、図１０は、出品商品詳細ページ５００の表示例を示す図である。
【０１０４】
なお、以下の説明においては、ある商品を欲しいものリストに登録し、その商品を入札するユーザ（以下、「リスト登録者」と称する）が利用する端末装置をユーザ端末４−１とし、その商品を出品するユーザ（以下、「出品者」と称する）が利用する端末装置をユーザ端末４−２とする。
【０１０５】
先ず、ユーザ端末４−１からのリクエストに応じて、ショッピングサーバ１−１のシステム制御部２０は、図７に示すように、リスト登録者が希望する商品のカタログページ３００をユーザ端末４−１に送信する（ステップＳ１）。
【０１０６】
カタログページ３００を受信したユーザ端末４−１は、当該ページを、図８に示すように画面に表示する。
【０１０７】
カタログページ３００は、ジャンル表示リンク３１０、検索エリア３２０、ジャンル指定エリア３３０、商品概要表示エリア３４０、仕様詳細表示エリア３５０等により構成されている。
【０１０８】
ジャンル表示リンク３１０は、カタログ情報の表示対象である商品が属するジャンルを、階層的に表示するリンクであり、ユーザが、この中の何れかの階層のリンクを選択すると、その階層に対応するジャンルに属するジャンル一覧、または、当該ジャンルに属する商品の一覧を表示するページが画面に表示される。
【０１０９】
検索エリア３２０は、カタログ情報を表示させたい商品を検索するためのキーワードを入力するための入力エリア、検索する商品のジャンルを指定するためのプルダウンメニュー等により構成されている。
【０１１０】
ジャンル指定エリア３３０は、カタログ情報を表示させたい商品を検索するために、その商品のジャンルを指定するためのリンク群等により構成されている。
【０１１１】
商品概要表示エリア３４０には、商品の商品名、発売日、標準価格、仕様の概要、商品の特徴等が表示され、当該エリアは、カタログ情報の商品概要情報と商品仕様情報の一部とに基づいて生成される。
【０１１２】
また、商品概要表示エリア３４０には、欲しいものリスト登録リンク３４１及び持っているものリスト登録リンク３４２が設けられている。ユーザが、欲しいものリスト登録リンク３４１を選択すると、欲しいものリスト登録ページ４００が画面に表示される。また、ユーザが、持っているものリスト登録リンク３４２を選択すると、カタログページに表示されている商品を持っているものリストに登録（お気に入り所有商品情報として登録）するための情報の入力に用いられる持っているものリスト登録ページが画面に表示される。
【０１１３】
仕様詳細表示エリア３５０には、カタログ情報の商品仕様情報に設定されている内容が表示される。
【０１１４】
ここで、リスト登録者が、欲しいものリスト登録リンク３４１を選択すると（ステップＳ２）、ユーザ端末４−１は、カタログ情報が表示された商品のカタログＩＤを設定した欲しいものリスト登録リクエストをオークションサーバ１−２に送信する（ステップＳ３）。
【０１１５】
欲しいものリスト登録リクエストを受信したオークションサーバ１−２のシステム制御部２０は、当該リクエストに設定されているカタログＩＤに対応するカタログ情報をショッピングデータベース１０１から取得し、当該カタログ情報に基づいて欲しいものリスト登録ページ４００を生成すると、当該ページをユーザ端末４−１に送信する（ステップＳ４）。
【０１１６】
欲しいものリスト登録ページ４００を受信したユーザ端末４−１は、当該ページを、図９に示すように画面に表示する。
【０１１７】
欲しいものリスト登録ページ４００は、ユーザが欲しい商品の情報を入力するためのページであり、当該ページは、カタログＩＤ設定エリア４１０、商品名設定エリア４２０、商品状態・出品者種別設定エリア４３０、コメント設定エリア４４０、登録ボタン４５０等により構成されている。
【０１１８】
カタログＩＤ設定エリア４１０は、欲しい商品のカタログＩＤを設定するためのエリアであり、当該エリアは、カタログＩＤ表示エリア４１１、カタログＩＤ選択ボタン４１２等により構成されている。このとき、カタログページ３００から欲しいものリスト登録リンク３４１を介して欲しいものリスト登録ページ４００が表示された場合には、初期状態で、カタログＩＤ表示エリア４１１には、カタログ情報が表示された商品のカタログＩＤが表示される。また、ユーザがカタログＩＤ選択ボタン４１２を選択することにより、カタログ検索ページまたはカタログ一覧ページが画面に表示される。これにより、ユーザは、現在表示されているカタログＩＤとは異なるカタログＩＤを選択することができるようになっている。
【０１１９】
商品名設定エリア４２０は、欲しい商品の商品名を入力、編集するための商品名入力エリア等により構成されており、カタログページ３００から欲しいものリスト登録リンク３４１を介して欲しいものリスト登録ページ４００が表示された場合には、初期状態で、カタログ情報が表示された商品の商品名が入力された状態となっている。
【０１２０】
商品状態・出品者種別設定エリア４３０は、欲しい商品がオークションサイトで出品されたことを通知するための条件として、通知対象とする商品の状態や出品者の種別を選択するためのチェックボックス等により構成されている。具体的には、商品の状態として新品及び中古の夫々に対してチェックボックスが設けられ、出品者の種別として、ショッピングサイト販売店舗、ショッピングサイト非販売店舗及び個人の夫々に対してチェックボックスが設けられている。ユーザは、この５つの項目の中から、一つまたは複数の項目を選択することができる。
【０１２１】
コメント設定エリア４４０は、欲しい商品についてのコメント等を入力するためのコメント入力エリア等により構成されている。
【０１２２】
ここで、リスト登録者が、コメント等を入力して、登録ボタン４５０を選択すると（ステップＳ５）、ユーザ端末４−１は、カタログＩＤ、商品名、選択された商品の状態や出品者の種別及びコメントを入力欲しい商品情報としてオークションサーバ１−２に送信する（ステップＳ６）。
【０１２３】
入力欲しい商品情報を受信したオークションサーバ１−２のシステム制御部２０は、欲しい商品情報を登録する（ステップＳ７）。具体的に、オークションサーバ１−２のシステム制御部２０は、入力欲しい商品情報に基づいて欲しい商品情報を生成するとともに、セッション管理等によりリスト登録者の会員ＩＤを特定し、生成された欲しい商品情報を当該会員ＩＤに対応付けてオークションデータベース１０２に登録する。
【０１２４】
その後、ユーザ端末４−２からのリクエストに応じて、オークションサーバ１−２のシステム制御部２０が、出品情報入力ページをユーザ端末４−２に送信し、出品者が、当該ページに対して、出品する商品に関する各種情報を入力すると（ステップＳ８）、ユーザ端末４−２は、入力された情報を入力出品情報としてオークションサーバ１−２に送信する（ステップＳ９）。この入力出品情報には、出品する商品のカタログＩＤも設定されている。
【０１２５】
入力出品情報を受信したオークションサーバ１−２のシステム制御部２０は、出品処理を実行する（ステップＳ１０）。
【０１２６】
具体的に、オークションサーバ１−２のシステム制御部２０は、新たにオークションＩＤを割り当て、受信された入力出品情報等からなる出品情報を生成し、当該出品情報を、出品者の会員ＩＤに対応付けて、オークションデータベース１０２に登録する。
【０１２７】
また、オークションサーバ１−２のシステム制御部２０は、生成された出品情報に基づいて出品商品詳細ページ５００を生成し、当該ページをオークションデータベース１０２に登録する。
【０１２８】
その後、オークションサーバ１−２のシステム制御部２０は、登録された出品者の出品情報に設定されているカタログＩＤが、事前に登録されたリスト登録者の欲しい商品情報に設定されているカタログＩＤと一致していると判断すると（ステップＳ１１）、出品情報及び欲しい商品情報等に基づいて、リスト登録者宛の出品通知メールを送信する（ステップＳ１２）。この出品通知メールの本文には、欲しい商品が出品されたこと、当該商品のオークションに関する情報の抜粋、当該商品の入札を勧める旨のメッセージ、当該商品のオークションサイトにおける落札相場、当該商品の出品商品詳細ページ５００のＵＲＬ等が記載されている。なお、出品通知メールを送信する処理等の詳細については、後述する。
【０１２９】
出品通知メールを受信したユーザ端末４−１は、リスト登録者の操作に基づいて、当該メールを画面に表示する。出品通知メールの内容を読んだリスト登録者が、当該メールに記載されているＵＲＬを選択すると（ステップＳ１３）、ユーザ端末４−１は、当該ＵＲＬを設定した商品詳細リクエストをオークションサーバ１−２に送信する（ステップＳ１４）。
【０１３０】
商品詳細リクエストを受信したオークションサーバ１−２のシステム制御部２０は、当該リクエストに設定されているＵＲＬに対応する出品商品詳細ページ５００をオークションデータベース１０２から取得し、当該ページをユーザ端末４−１に送信する（ステップＳ１５）。
【０１３１】
出品商品詳細ページ５００を受信したユーザ端末４−２は、図１０に示すように、当該ページを画面に表示する。
【０１３２】
出品商品詳細ページ５００は、ユーザが、出品された商品を入札するか否か等を判断するために閲覧するＷｅｂページであり、当該ページは、商品名表示５１０、出品者情報表示エリア５２０、オークション情報表示エリア５３０、入札エリア５５０、画像表示エリア５６０、商品説明文表示エリア５７０、カタログ参照ボタン５８０、入札履歴表示エリア５９０等により構成されている。
【０１３３】
商品名表示５１０には、出品された商品の商品名が表示される。また、出品者情報表示エリア５２０には、出品者に関する情報（ニックネーム、取引方法、支払い方法等）が表示される。また、オークション情報表示エリア５３０には、出品された商品のオークションに関する情報（現在価格、残り時間、出品個数、入札件数、開始価格、開始時間、終了時間等）が表示される。
【０１３４】
また、入札エリア５５０には、出品された商品の入札を行うための入札ボタンが設けられている。また、画像表示エリア５６０には、出品された商品等の画像が表示される。また、商品説明文表示エリア５７０には、出品された商品の説明文が表示される。
【０１３５】
また、カタログ参照ボタン５８０をユーザが選択すると、出品された商品のカタログ情報を表示するカタログページ３００が画面に表示される。また、入札履歴表示エリア５９０には、これまでの入札の履歴が表示される。
【０１３６】
ここで、入札者が入札エリア５５０の入札ボタンを選択して、入札額を入力すると、ユーザ端末４−２は、入札リクエストをオークションサーバ１−２に送信する（ステップＳ１６）。
【０１３７】
入札リクエストを受信したオークションサーバ１−２のシステム制御部２０は、当該リクエストに基づいて入札処理を実行し（ステップＳ１７）、当該処理により、入札情報の登録、出品情報の更新等を行う。
【０１３８】
なお、上記説明においては、リスト登録者が欲しい商品を、カタログページ３００を介して欲しいものリストに登録していたが、カタログページ３００を介さずに登録することも可能である。この場合における商品取引システムＳの動作について、図１１乃至図１３を用いて説明する。
【０１３９】
図１１は、本実施形態に係る商品取引システムＳの他の処理例を示すシーケンス図である。また、図１２は、マイオークションページ２００の表示例を示す図である。また、図１３は、マイオークションページ２００の他の表示例を示す図であり、同図において、図１２と同様の要素については同様の符号を付してある。
【０１４０】
先ず、オークションサーバ１−２のシステム制御部２０は、ユーザ端末４−２からのリクエストに応じて、図１１に示すように、オークションデータベース１０２に登録されているリスト登録者用のマイオークションページ２００をユーザ端末４−１に送信する（ステップＳ３１）。
【０１４１】
マイオークションページ２００を受信したユーザ端末４−１は、当該ページを、図１２に示すように画面に表示する。
【０１４２】
マイオークションページ２００は、会員のオークションに関する情報を閲覧、管理等するためのＷｅｂページであり、当該ページは、評価表示エリア２１０、買うメニューエリア２２０、売るメニューエリア２３０、その他メニューエリア２４０、お知らせ表示エリア２５０、キャンペーン等表示エリア２６０等により構成されている。
【０１４３】
買うメニューエリア２２０は、オークションサイトで商品を入札するための各種メニューを表示するエリアであり、当該エリアは、ウォッチリストメニュー２２１、入札商品メニュー２２２及び落札商品メニュー２２３等により構成されている。
【０１４４】
ユーザがウォッチリストメニュー２２１を選択すると、入札するかもしれない商品のオークションとして、ユーザによって予め登録されたオークションの一覧が、お知らせ表示エリア２５０及びキャンペーン等表示エリア２６０に代わって画面に表示される。また、ユーザが入札商品メニュー２２２を選択すると、ユーザが入札中の商品のオークションの一覧が、お知らせ表示エリア２５０及びキャンペーン等表示エリア２６０に代わって画面に表示される。また、ユーザが落札商品メニュー２２３を選択すると、ユーザが落札した商品のオークションの一覧が、お知らせ表示エリア２５０及びキャンペーン等表示エリア２６０に代わって画面に表示される。
【０１４５】
売るメニューエリア２３０は、オークションサイトで商品を出品するための各種メニューを表示するエリアであり、当該エリアは、出品メニュー２３１、出品商品メニュー２３２、被落札商品メニュー２３３等により構成されている。
【０１４６】
ユーザが出品メニュー２３１を選択すると、出品する商品に関する情報を入力するための出品情報入力ページが画面に表示される。また、ユーザが出品商品メニュー２３２を選択すると、ユーザが出品中の商品のオークションの一覧が、お知らせ表示エリア２５０及びキャンペーン等表示エリア２６０に代わって画面に表示される。また、ユーザが被落札商品メニュー２３３を選択すると、ユーザが出品した商品のオークションのうち、他のユーザによって落札されたオークションの一覧が、お知らせ表示エリア２５０及びキャンペーン等表示エリア２６０に代わって画面に表示される。
【０１４７】
その他メニューエリア２４０は、オークションサイトで、出品や入札以外の各種メニューを表示するエリアであり、当該エリアは、購入履歴メニュー２４１、欲しいものリストメニュー２４２、持っているものリストメニュー２４３等により構成されている。
【０１４８】
ユーザが購入履歴メニュー２４１を選択すると、ショッピングサイトにおけるユーザの商品購入の履歴の一覧を表示する購入履歴一覧ページが画面に表示される。また、欲しいものリストメニュー２４２を選択すると、後述する欲しいものリスト表示エリア６００が、お知らせ表示エリア２５０及びキャンペーン等表示エリア２６０に代わって画面に表示される。また、ユーザが持っているものリストメニュー２４３を選択すると、ユーザが所有している商品のうち、当該ユーザが気に入っている商品として当該ユーザによって予め登録された商品の一覧が、お知らせ表示エリア２５０及びキャンペーン等表示エリア２６０に代わって画面に表示される。
【０１４９】
ここで、リスト登録者が、欲しいものリストメニュー２４２を選択すると（ステップＳ３２）、ユーザ端末４−１は、欲しいものリストリクエストをオークションサーバ１−２に送信する（ステップＳ３３）。
【０１５０】
欲しいものリストリクエストを受信したオークションサーバ１−２のシステム制御部２０は、オークションデータベース１０２に登録されているリスト登録者の欲しい商品情報に基づいて、欲しい商品の落札価格を算出する（ステップＳ３４）。
【０１５１】
具体的に、オークションサーバ１−２のシステム制御部２０は、欲しい商品情報にカタログＩＤが設定されている場合には、オークションデータベース１０２に登録されている全被落札情報（あるいは、所定の期間に落札された商品の被落札情報）のうち、当該カタログＩＤが設定されている被落札情報に設定されている落札価格の平均値を落札相場とする。また、システム制御部２０は、特定された欲しい商品情報にカタログＩＤが設定されていない場合には、オークションデータベース１０２に登録されている全被落札情報（あるいは、所定の期間に落札された商品の被落札情報）のうち、欲しい商品情報に設定されてい商品名と商品名が一致（全一致でも部分一致でも良い）する被落札情報に設定されている落札価格の平均値を落札相場とする。なお、落札相場の算出方法は、他の方法を用いても良い。
【０１５２】
次いで、オークションサーバ１−２のシステム制御部２０は、欲しい商品情報及び算出された落札情報等に基づいて、欲しいものリストを表示させるためのマイオークションページ２００を生成し、当該ページをユーザ端末４−１に送信する（ステップＳ３５）。
【０１５３】
マイオークションページ２００を受信したユーザ端末４−１は、当該ページを、図１３に示すように画面に表示する。ここで、図１２に示すマイオークションページ２００と異なる点は、お知らせ表示エリア２５０及びキャンペーン等表示エリア２６０に代わって、欲しいものリスト表示エリア６００が表示される点である。
【０１５４】
欲しいものリスト表示エリア６００は、新規登録リンク６１０、一つ以上の欲しいもの情報表示エリア６２０（欲しい商品情報が登録されている場合）等により構成されている。
【０１５５】
ユーザが、新規登録リンク６１０を選択すると、欲しいものリスト登録ページ４００が画面に表示される。
【０１５６】
欲しいもの情報表示エリア６２０は、商品名表示エリア６２１、カタログＩＤ表示エリア６２２、コメント表示エリア６２３、オークション情報表示エリア６２４等により構成されている。
【０１５７】
商品名表示エリア６２１には、欲しい商品情報に設定されている商品名、オークションサイトにおける落札相場等が表示される。このとき、欲しい商品のカタログＩＤが欲しい商品情報に設定されているときには、商品名が、その欲しい商品のカタログページ３００へのリンクになっている。
【０１５８】
また、カタログＩＤ表示エリア６２２には、欲しい商品のカタログＩＤが欲しい商品情報に設定されているときには、このカタログＩＤが表示される。
【０１５９】
また、コメント表示エリア６２３には、欲しい商品情報に設定されているコメントが表示される。
【０１６０】
また、オークション情報表示エリア６２４には、欲しい商品情報の欲しい商品オークション情報に設定されているオークションＩＤが対応するオークションの商品詳細ページ５００へのリンクが表示される。つまり、オークション情報表示エリア６２４には、ユーザの欲しい商品のオークションについての商品詳細ページ５００へのリンクが表示される。このとき、欲しい商品が複数のオークションで出品されている場合には、そのオークション毎に商品詳細ページ５００へのリンクが表示される。ただし、欲しい商品オークション情報にオークションＩＤが設定されていない場合には、ユーザが欲しい商品は出品されていない旨のメッセージが表示される。
【０１６１】
また、欲しい商品情報の同シリーズ新商品情報に、新商品のカタログＩＤが設定されている場合には、欲しいもの情報表示エリア６２０には、同シリーズ新商品表示エリア６２５が設けられるようになっている。この同シリーズ新商品表示エリア６２５は、同シリーズ新商品情報に設定されているカタログＩＤが対応する商品のカタログページ３００へのリンク、当該商品を欲しいものリストへ登録するための欲しいものリスト登録ページ４００へのリンク等により構成されている。
【０１６２】
ここで、リスト登録者が新規登録リンク６１０を選択すると（ステップＳ３６）、ユーザ端末４−１は、欲しいものリスト登録リクエストをオークションサーバ１−２に送信し（ステップＳ３７）、オークションサーバ１−２のシステム制御部２０は、これに応じて、欲しいものリスト登録ページ４００をユーザ端末４−１に送信する（ステップＳ３８）。
【０１６３】
欲しいものリスト登録ページ４００を受信したユーザ端末４−１は、当該ページを画面に表示する。この場合におけるリスト登録ページ４００の初期状態において、カタログＩＤ設定エリアのカタログＩＤ表示エリア４１１には何も表示されず、また、商品名設定エリア４２０の商品名入力エリアには何も入力されていない状態となっている。従って、ユーザは、カタログＩＤを設定し、商品名を入力することとなる。
【０１６４】
なお、このとき、ユーザは、カタログＩＤを設定しなくても良く、この場合には、商品名によるキーワード検索が行われることにより、欲しい商品が出品されたときに、その通知が行われることとなる。ただし、欲しい商品以外の商品が出品されたときに、たまたまキーワード検索でヒットした場合には、出品通知が行われてしまうため、これを防止するためには、カタログＩＤを設定しておくことが望ましい。
【０１６５】
この後は、図７に示すステップＳ５乃〜Ｓ１７と同様の処理が行われることとなる。
【０１６６】
［３．２  出品通知制御処理］
次に、出品通知制御処理について、図１４を用いて説明する。
【０１６７】
図１４は、本実施形態に係るオークションサーバ１−２のシステム制御部２０の出品通知制御処理における処理例を示すフローチャートである。なお、以下の説明において、単に「システム制御部２０」というときは、「オークションサーバ１−２のシステム制御部２０」を意味するものとする。
【０１６８】
出品通知制御処理は、オークションサーバ１−２において、定期的（例えば、１日１回、毎月の１回等）に実行される処理である。
【０１６９】
当該処理が開始されると、図１４に示すように、オークションサーバ１−２のシステム制御部２０は、商品取引システムＳを利用可能な全ユーザのうち、一人を特定する（ステップＳ５１）。
【０１７０】
次いで、システム制御部２０は、特定されたユーザの、オークションサーバ１−２に登録されている欲しい商品情報のうち、一つを特定する（ステップＳ５２）。
【０１７１】
次いで、システム制御部２０は、特定された欲しい商品情報に、欲しい商品のカタログＩＤが設定されているか否かを判定する（ステップＳ５３）。
【０１７２】
このとき、システム制御部２０は、特定された欲しい商品情報に欲しい商品のカタログＩＤが設定されている場合には（ステップＳ５３：ＹＥＳ）、所定の期間（例えば、出品通知制御処理が１日１回行われるのであれば、当該処理を行っている日の前日の０時から、２４時になる前までの間）に開始されたオークションのうち、特定された欲しい商品情報が示す商品のオークションを、カタログＩＤで検索する（ステップＳ５４）。
【０１７３】
具体的に、システム制御部２０は、オークションサーバ１−２に登録されている出品情報のうち、オークション開始日時が所定の期間内であり、且つ、出品された商品のカタログＩＤが欲しい商品のカタログＩＤと一致する出品情報を検索する。このとき、システム制御部２０は、特定された欲しい商品情報の出品通知対象商品状態情報において、通知対象となっている商品状態と同一の商品状態が設定された出品情報の中から検索を行うとともに、当該欲しい商品情報の出品通知対象出品者情報において、通知対象となっている出品者の種別と同一の出品者種別が設定された出品情報の中から検索を行う。システム制御部２０は、この処理を終えると、ステップＳ５６に移行する。
【０１７４】
一方、システム制御部２０は、特定された欲しい商品情報に欲しい商品のカタログＩＤが設定されていない場合には（ステップＳ５３：ＮＯ）、所定の期間に開始されたオークションのうち、特定された欲しい商品情報が示す商品のオークションを、キーワードで検索する（ステップＳ５５）。
【０１７５】
具体的に、システム制御部２０は、欲しい商品の商品名をキーワードとし、オークションサーバ１−２に登録されている出品情報のうち、オークション開始日時が所定の期間内であり、且つ、出品された商品の商品名または商品説明文に、上記キーワードが含まれている出品情報を検索する。このとき、システム制御部２０は、特定された欲しい商品情報の出品通知対象商品状態情報において、通知対象となっている商品状態と同一の商品状態が設定された出品情報の中から検索を行うとともに、当該欲しい商品情報の出品通知対象出品者情報において、通知対象となっている出品者の種別と同一の出品車種別が設定された出品情報の中から検索を行う。システム制御部２０は、この処理を終えると、ステップＳ５６に移行する。
【０１７６】
次いで、システム制御部２０は、ステップＳ５６において、オークションが一つ以上検索されたか否かを判定する。このとき、システム制御部２０は、オークションが一つも検索されない場合には（ステップＳ５６：ＮＯ）、ステップＳ６０に移行する。
【０１７７】
一方、システム制御部２０は、オークションが一つ以上検索された場合には、特定された欲しい商品情報が示す商品の、オークションサイトにおける落札相場を算出する（ステップＳ５７）。この算出方法は、図１１に示すステップＳ３４における方法と、基本的に同様である。
【０１７８】
次いで、システム制御部２０は、出品通知メールを送信する（ステップＳ５８：図７に示すステップＳ１２）。具体的に、システム制御部２０は、特定された欲しい商品情報に設定されている商品名、検索された出品情報の抜粋、当該商品を出品するよう勧める旨のメッセージ、落差相場、検索されたオークションの出品商品詳細ページのＵＲＬ等を出品通知メールの本文に設定する。そして、システム制御部２０は、特定されたユーザの会員情報に設定されている電子メールアドレスを、出品通知メールの宛先に設定して、当該メールを送信する。
【０１７９】
次いで、システム制御部２０は、特定された欲しい商品情報中に、検索された出品情報の商品名とオークションＩＤを欲しい商品オークション情報として追加設定する（ステップＳ５９）。
【０１８０】
次いで、システム制御部２０は、特定されたユーザの欲しい商品情報全てについて、出品通知処理を行ったか否かを判定する（ステップＳ６０）。すなわち、システム制御部２０は、特定されたユーザの欲しい商品情報全てについて、ステップＳ５３〜Ｓ５９のうち、少なくともステップＳ５３の処理を行ったか否かを判定するのである。このとき、システム制御部２０は、出品通知処理を行っていない欲しい商品情報がある場合には（ステップＳ６０：ＮＯ）、特定されたユーザの欲しい商品情報のうち、出品通知処理を行っていない欲しい商品情報の中から次の欲しい商品情報を特定して（ステップＳ６１）、ステップＳ５３に移行する。つまり、システム制御部２０は、特定されたユーザの欲しい商品情報全てについて、出品通知処理を行うのである。
【０１８１】
そして、システム制御部２０は、特定されたユーザの欲しい商品情報全てについて、出品通知処理を行うと（ステップＳ６０：ＹＥＳ）、次いで、全ユーザについて、出品通知処理を行ったか否かを判定する（ステップＳ６２）。このとき、システム制御部２０は、出品通知処理を行っていないユーザがいる場合には（ステップＳ６２：ＮＯ）、出品通知処理を行っていないユーザの中から次のユーザを特定して（ステップＳ６３）、ステップＳ５２に移行する。つまり、システム制御部２０は、商品取引システムＳを利用可能な全ユーザについて、出品通知処理を行うのである。
【０１８２】
そして、システム制御部２０は、全ユーザについて、出品通知処理を行うと（ステップＳ６２：ＹＥＳ）、出品通知制御処理を終了させる。
【０１８３】
なお、上記説明においては、システム制御部２０は、出品通知処理を定期的の行うようにしていたが、例えば、オークションサイトへの出品が行われる度に、出品通知制御処理を行っても良い。この場合において、システム制御部２０は、例えば、オークションデータベース１０２に登録されている全ユーザの全欲しい商品情報のうち、欲しい商品のカタログＩＤが、登録された出品情報に設定されているカタログＩＤと一致する欲しい商品情報を検索し、検索された欲しい商品情報のユーザに対して出品通知処理を行うようにすれば良い。
【０１８４】
［３．３  カタログ情報受信時処理］
次に、オークションサーバ１−２が、ショッピングサーバ１−１からカタログ情報を受信したときに開始されるカタログ情報受信時処理について、図１５を用いて説明する。
【０１８５】
図１５は、本実施形態に係るオークションサーバ１−２のシステム制御部２０のカタログ情報受信時処理における処理例を示すフローチャートである。なお、以下の説明において、単に「システム制御部２０」というときは、「オークションサーバ１−２のシステム制御部２０」を意味するものとする。
【０１８６】
オークションサーバ１−２のシステム制御部２０は、ショッピングサーバ１−１からカタログ情報を受信すると、図１５に示すように、このカタログ情報に同シリーズ旧商品情報が設定されているか否かを判定する（ステップＳ８１）。このとき、システム制御部２０は、カタログ情報に同シリーズ旧商品情報が設定されていない場合には（ステップＳ８１：ＮＯ）、カタログ情報受信時処理を終了させる。
【０１８７】
一方、システム制御部２０は、カタログ情報に同シリーズ旧商品情報が設定されている場合には、同シリーズ旧商品情報に設定されているカタログＩＤのうち、一つを特定する（ステップＳ８２）。
【０１８８】
次いで、システム制御部２０は、商品取引システムＳを利用可能な全ユーザのうち、一人を特定する（ステップＳ８３）。
【０１８９】
次いで、システム制御部２０は、特定されたユーザの全欲しい商品情報のうち、特定されたカタログＩＤと一致するカタログＩＤが設定されている欲しい商品情報を検索する（ステップＳ８４）。
【０１９０】
次いで、システム制御部２０は、欲しい商品情報が一つ以上検索されたか否かを判定する（ステップＳ８５）。このとき、システム制御部２０は、欲しい商品情報が一つも検索されない場合には（ステップＳ８５：ＮＯ）、ステップＳ８８に移行する。
【０１９１】
一方、システム制御部２０は、欲しい商品情報が一つ以上検索された場合には（ステップＳ８５：ＹＥＳ）、欲しいものリスト登録リコメンドメールを送信する（ステップＳ８６）。
【０１９２】
具体的に、システム制御部２０は、欲しいものリストに登録されている商品と同じシリーズに属する新商品（今回新たにカタログ情報が登録された商品）が販売される（または、販売された）こと、新たにカタログ情報が登録されたその新商品の概要、新商品のカタログページ３００のＵＲＬ、新商品を欲しいものリストに登録することを勧める旨のメッセージ、新商品を欲しいものリストに登録するための欲しいものリスト登録ページ４００のＵＲＬ等を、欲しいものリスト登録リコメンドメールの本文に設定する。そして、システム制御部２０は、特定されたユーザの会員情報に設定されている電子メールアドレスを、欲しいものリスト登録リコメンドメールの宛先に設定して、当該メールを送信する。
【０１９３】
次いで、システム制御部２０は、検索された欲しい商品情報中に、特定されたカタログＩＤを含む同シリーズ新商品情報を追加設定する（ステップＳ８７）。
【０１９４】
次いで、システム制御部２０は、全ユーザについて、欲しいものリスト登録リコメンド処理を行ったか否かを判定する（ステップＳ８８）。すなわち、システム制御部２０は、全ユーザについて、ステップＳ８４〜Ｓ８７のうち、少なくともステップＳ８４〜Ｓ８５の処理を行ったか否かを判定するのである。このとき、システム制御部２０は、欲しいものリスト登録リコメンド処理を行っていないユーザがいる場合には（ステップＳ８８：ＮＯ）、欲しいものリスト登録リコメンド処理を行っていないユーザの中から次のユーザを特定して（ステップＳ８９）、ステップＳ８４に移行する。つまり、システム制御部２０は、商品取引システムＳを利用可能な全ユーザについて、欲しいものリスト登録リコメンド処理を行うのである。
【０１９５】
そして、システム制御部２０は、全ユーザについて、欲しいものリスト登録リコメンド処理を行うと（ステップＳ８８：ＹＥＳ）、次いで、登録されたカタログ情報の同シリーズ旧商品情報に設定されているカタログＩＤ全てについて、欲しいものリスト登録リコメンド処理を行ったか否かを判定する（ステップＳ９０）。このとき、システム制御部２０は、欲しいものリスト登録リコメンド処理を行っていないカタログＩＤがある場合には（ステップＳ９０：ＮＯ）、同シリーズ旧商品情報に設定されているカタログＩＤのうち、欲しいものリスト登録リコメンド処理を行っていないカタログＩＤの中から次のカタログＩＤを特定して（ステップＳ９１）、ステップＳ８３に移行する。つまり、システム制御部２０は、同シリーズ旧商品情報に設定されているカタログＩＤ全てについて、欲しいものリスト登録リコメンド処理を行うのである。
【０１９６】
そして、システム制御部２０は、同シリーズ旧商品情報に設定されているカタログＩＤ全てについて、欲しいものリスト登録リコメンド処理を行うと（ステップＳ９０：ＹＥＳ）、カタログ情報受信時処理を終了させる。
【０１９７】
なお、上記説明において、システム制御部２０は、カタログ情報を受信する度にカタログ情報受信時処理を実行し、欲しいものリスト登録リコメンドメールの送信や同シリーズ新商品情報の追加処理を行っていたが、定期的にこれらの処理を行っても良い。例えば、１日１回行うのであれば、システム制御部２０は、前日に登録されたカタログ情報を、ショッピングサーバ１−１から受信し、このカタログ情報に基づいて、これらの処理を行えば良い。
【０１９８】
以上説明したように、本実施形態によれば、オークションサーバ１−２は、ユーザの欲しい商品のカタログＩＤを含む商品情報を、オークションサイトを利用可能なユーザ毎に対応付けて登録しておくオークションデータベース１０２を備え、オークションサーバ１−２のシステム制御部２０が、出品者が利用するユーザ端末４−ｋから送信された入力出品情報を受信して、出品する商品のカタログＩＤを含む出品情報をオークションデータベース１０２に登録するようになっている。そして、オークションサーバ１−２のシステム制御部２０は、出品情報が登録された場合に、当該出品情報に含まれるカタログＩＤと同一のカタログＩＤを含む欲しい商品情報に対応するユーザの利用するユーザ端末４−ｋに、当該欲しい商品情報が示す商品が出品されたことを通知する出品通知メールを当該ユーザ宛に送信するとともに、欲しい商品情報中に欲しい商品オークション情報を追加設定して、欲しいものリスト登録エリア６００を含むマイオークションページ２００を送信する際に、欲しいものリスト登録エリア６００にオークション情報表示エリア６２４を埋め込むようになっている。
【０１９９】
従って、同一の商品、すなわち、仕様が同一である複数の商品が別個に出品されたとしても、これらの商品の仕様は同一であるから、夫々の出品情報に含まれるカタログＩＤも一致する。一方、異なる商品、すなわち、仕様が互いに異なる複数の商品が別個に出品された場合には、夫々の出品情報に含まれるカタログＩＤは一致しない。従って、欲しい商品の仕様を示すカタログＩＤを含めて欲しい商品情報を登録しておくことで、その商品が出品されたことを、出品情報のカタログＩＤから確実に特定することができるので、ユーザが欲しくはない商品が出品されたことが当該ユーザに対して通知されてしまうという、望ましくない結果を防止することができる。
【０２００】
また、オークションデータベース１０２には、カタログ情報がカタログＩＤと対応付けて登録されており、オークションサーバ１−２のシステム制御部２０は、カタログ情報を表示する画面を構成するカタログページ３００をユーザ端末４−ｋからの要求に応じて送信し、カタログページ３００を受信したユーザ端末４−ｋから送信された入力欲しい商品情報を受信して、欲しい商品情報をオークションデータベース１０２に登録するようになっている。
【０２０１】
従って、ユーザは、商品の仕様等を確認した上で、その商品を欲しい商品として登録することができるので、ユーザが欲しい商品を確実に特定することができる。
【０２０２】
また、カタログ情報には、当該カタログ情報が対応する商品と同じシリーズに属し、且つ、当該商品よりも前に発売された旧商品を特定するための同シリーズ旧商品情報が付加されており、オークションサーバ１−２のシステム制御部２０は、管理者により入力されたカタログ情報をオークションデータベース１０２に登録し、カタログ情報が登録された場合に、同シリーズ旧商品情報に設定されているカタログＩＤを含む欲しい商品情報を検索するようになっている。そして、オークションサーバ１−２のシステム制御部２０は、検索された欲しい商品情報に対応するユーザ宛に、登録されたカタログ情報が対応する商品を欲しい商品として登録することを勧める欲しいものリスト登録メールを送信するとともに、欲しい商品情報中に同シリーズ新商品情報を追加設定して、欲しいものリスト登録エリア６００を含むマイオークションページ２００を送信する際に、欲しいものリスト登録エリア６００に同シリーズ新商品表示エリア６２５を埋め込むようになっている。
【０２０３】
従って、ユーザが欲しい商品として既に登録されている商品よりも、その商品と同じシリーズに属する新商品の方が、例えば、機能面、デザイン面、価格面等において優れている場合が多く、新商品の方を当該ユーザが欲しがる可能性が高いことから、その新商品についてのカタログ情報が登録されたときに、欲しいものリストに登録することを勧めることで、ユーザは、その登録を行うことが喚起される。そして、新商品が欲しいものリストに登録されると、この新商品が出品されたときにも、ユーザは、確実にその旨の通知を受けることができる。これによって、当該新商品の入札が喚起され、オークションサイトの利用を促進することができる。
【０２０４】
また、オークションサーバ１−２のシステム制御部２０は、商品が落札された場合に、その落札価格及びそのオークションの出品情報に設定されているカタログＩＤを設定した被落札情報をオークションデータベース１０２に登録し、欲しい商品が出品されたことを通知するための処理を行う際に、ユーザが欲しい商品のカタログＩＤを含む被落札情報に設定されている落札価格に基づいて、その商品の落札相場を算出し、この落札相場もユーザに対して通知されるように処理を行うようになっている。
【０２０５】
従って、欲しい商品が出品されたことが通知される際に、その商品の落札相場も通知されるので、ユーザは、この落札相場を参考にして、欲しい商品の入札額を決めることができる。例えば、落札相場より少し高い価格で入札を行えば、出費を抑えつつ、欲しい商品を落札することができる確率を上げることができる。
【０２０６】
なお、上記実施形態に対する補足例として、ユーザが欲しいものリストに登録している商品と同シリーズに属する新商品が出品された場合に、この新商品が出品されたことをユーザに対して通知するようにしても良い。
【０２０７】
具体的には、先ず、ショッピングサーバ１−１のシステム制御部２０は、カタログ情報が対応する商品と同シリーズに属し、且つ、その商品の販売が開始された後に販売が開始された商品のカタログＩＤ、すなわち、新商品のカタログＩＤを、同シリーズ新商品情報（第２特定情報の一例）として当該カタログ情報中に設定する。カタログ情報中には、同シリーズ旧商品情報として、同シリーズの旧商品のカタログＩＤが設定されていることから、これにより、新商品を特定することができる。
【０２０８】
その後、オークションサーバ１−２のシステム制御部２０は、出品通知制御処理の図１４に示すステップＳ５４において、特定された欲しい商品情報が示す商品のオークションをカタログＩＤで検索する場合に、欲しい商品のカタログＩＤが対応するカタログ情報から同シリーズ新商品情報のカタログＩＤを取得し、このカタログＩＤで、欲しい商品と同シリーズに属する新商品のオークションを検索する。
【０２０９】
そして、オークションサーバ１−２のシステム制御部２０は、検索されたオークションについて、後続の出品通知処理を行う。
【０２１０】
この補足例によれば、ユーザが欲しい商品として既に登録されている商品と同じシリーズに属する新商品が出品されたときにその旨を通知することによって、ユーザフレンドリーな環境を提供することができる。これによって、当該新商品の入札が喚起され、オークションサイトの利用を促進することができる。
【０２１１】
なお、上記実施形態において、オークションサーバ１−２のシステム制御部２０は、欲しいものリストに既に登録されている商品と同シリーズに属する新商品のカタログ情報が登録された場合に、この新商品を欲しいものリストに登録することを勧めるように処理を行っていたが、新商品に限らず、関連商品（例えば、オプション商品等）についても、欲しいものリストに登録することを勧めるように処理を行っても良い。
【０２１２】
また、上記実施形態においては、第１特定情報及び第２特定情報として、同シリーズ旧商品情報及び同シリーズ新商品情報を適用していたが、カタログ情報の商品仕様情報に発売日及びシリーズが設定されていれば、これらの情報によって、同シリーズに属する旧商品及び新商品を特定することができるので、この場合には、カタログ情報に同シリーズ旧商品情報及び同シリーズ新商品情報を設定しなくても良い。
【０２１３】
なお、上記実施形態においては、仕様識別情報として、カタログＩＤを適用していたが、商品の仕様を特定可能な情報であれば、カタログＩＤ以外の、例えば、カタログ情報に設定されている商品名や型番等で合っても良い。一方、ユーザによって入力または編集されて欲しい商品情報に設定される商品名等は、その内容がユーザによって自由に決定することが可能なテキスト情報であるので、商品の仕様を特定し得る情報とはならない。つまり、仕様識別情報としては、その情報によって、対象となる商品を一意に特定することが可能であることが必要である。
【図面の簡単な説明】
【０２１４】
【図１】本実施形態に係る商品取引システムＳの概要構成の一例を示す図である。
【図２】本実施形態に係るショッピングサーバ１−１及びオークションサーバ１−２の概要構成の一例を示すブロック図である。
【図３】会員情報データベース１００に登録される情報の内容の一例を示す図である。
【図４】ショッピングデータベース１０１に登録される情報の内容の一例を示す図である。
【図５】オークションデータベース１０２に登録される情報の内容の一例を示す図である。
【図６】欲しい商品情報に設定される内容の一例を示す図である。
【図７】本実施形態に係る商品取引システムＳの処理例を示すシーケンス図である。
【図８】カタログページ３００の表示例を示す図である。
【図９】欲しいものリスト登録ページ４００の表示例を示す図である。
【図１０】出品商品詳細ページ５００の表示例を示す図である。
【図１１】本実施形態に係る商品取引システムＳの他の処理例を示すシーケンス図である。
【図１２】マイオークションページ２００の表示例を示す図である。
【図１３】マイオークションページ２００の他の表示例を示す図である。
【図１４】本実施形態に係るオークションサーバ１−２のシステム制御部２０の出品通知制御処理における処理例を示すフローチャートである。
【図１５】本実施形態に係るオークションサーバ１−２のシステム制御部２０のカタログ情報受信時処理における処理例を示すフローチャートである。
【符号の説明】
【０２１５】
１  商品取引サイトシステム
１−１  ショッピングサーバ
１−２  オークションサーバ
３−ｊ  店舗端末
４−ｋ  ユーザ端末
１１  操作部
１２  表示部
１３  通信部
１４  ドライブ部
１５  記憶部
１６  入出力インタフェース
１７  ＣＰＵ
１８  ＲＯＭ
１９  ＲＡＭ
２０  システム制御部
２１  システムバス
１００  会員情報データベース
１０１  ショッピングデータベース
１０２  オークションデータベース
ＮＷ１、ＮＷ２  ネットワーク
Ｓ  商品取引システム
【図１】
0005140468.tif 000002
【図２】
0005140468.tif 000003
【図３】
0005140468.tif 000004
【図４】
0005140468.tif 000005
【図５】
0005140468.tif 000006
【図６】
0005140468.tif 000007
【図７】
0005140468.tif 000008
【図８】
0005140468.tif 000009
【図９】
0005140468.tif 000010
【図１０】
0005140468.tif 000011
【図１１】
0005140468.tif 000012
【図１２】
0005140468.tif 000013
【図１３】
0005140468.tif 000014
【図１４】
0005140468.tif 000015
【図１５】
0005140468.tif 000016